(57)【特許請求の範囲】
【請求項１】
ワイヤレス通信ノードによって行われる方法であって、
前記ワイヤレス通信ノードの伝送装置が、一次同期信号（ＰＳＳ）を周期的にワイヤレス通信デバイスに伝送することを含み、ある周期における少なくとも１つのサブフレーム内の前記ＰＳＳは、複数の直交周波数分割多重化（ＯＦＤＭ）シンボルを占有し、前記複数のＯＦＤＭシンボルは、連続であり、かつ、それぞれが、１つのシーケンスに対応し、連続である前記複数のＯＦＤＭシンボル内の各ＯＦＤＭシンボルは、１１の長さを有するＺａｄｏｆｆ−Ｃｈｕ（ＺＣ）シーケンスに対応し、前記ＰＳＳは、１２のサブキャリアを含むダウンリンクキャリアの１１のサブキャリアを経由して伝送され、各ＺＣシーケンスは、対応するＯＦＤＭシンボルインデックスによって決定される、方法。
【請求項２】
前記複数のＯＦＤＭシンボルは、基準信号を搬送しない、請求項１に記載の方法。
【請求項３】
ワイヤレス通信ノードによって行われる方法であって、
前記ワイヤレス通信ノードの伝送装置が、二次同期信号（ＳＳＳ）を周期的にワイヤレス通信デバイスに伝送することを含み、１つの周期における少なくとも１つのサブフレーム内の前記ＳＳＳは、複数の直交周波数分割多重化（ＯＦＤＭ）シンボルを占有し、少なくとも１つのサブフレーム内の前記複数のＯＦＤＭシンボルは、連続であり、かつ、それぞれが、第１のシーケンスのサブセットに対応し、連続である前記複数のＯＦＤＭシンボル内の各ＯＦＤＭシンボルは、１１の長さを有するＺａｄｏｆｆ−Ｃｈｕ（ＺＣ）シーケンスに対応し、前記ＳＳＳは、１２のサブキャリアを含むダウンリンクキャリアの１１のサブキャリアを経由して伝送され、各ＺＣシーケンスは、対応するＯＦＤＭシンボルインデックスによって決定される、方法。
【請求項４】
少なくとも１つのサブフレーム内の前記ＳＳＳに対応する前記第１のシーケンスは、セル識別およびタイミング情報のうちの少なくとも１つに基づいて構成される、請求項３に記載の方法。
【請求項５】
前記複数のＯＦＤＭシンボルは、基準信号を搬送しない、請求項３に記載の方法。
【請求項６】
同期信号を伝送するためのデバイスであって、
前記デバイスは、一次同期信号（ＰＳＳ）を周期的にワイヤレス通信デバイスに伝送するように構成された伝送装置を備え、ある周期における少なくとも１つのサブフレーム内の前記ＰＳＳは、複数の直交周波数分割多重化（ＯＦＤＭ）シンボルを占有し、前記複数のＯＦＤＭシンボルは、連続であり、かつ、それぞれが、１つのシーケンスに対応し、連続である前記複数のＯＦＤＭシンボル内の各ＯＦＤＭシンボルは、１１の長さを有するＺａｄｏｆｆ−Ｃｈｕ（ＺＣ）シーケンスに対応し、前記ＰＳＳは、１２のサブキャリアを含むダウンリンクキャリアの１１のサブキャリアを経由して伝送され、各ＺＣシーケンスは、対応するＯＦＤＭシンボルインデックスによって決定される、デバイス。
【請求項７】
前記複数のＯＦＤＭシンボルは、基準信号を搬送しない、請求項６に記載のデバイス。
【請求項８】
同期信号を伝送するためのデバイスであって、
前記デバイスは、二次同期信号（ＳＳＳ）を周期的にワイヤレス通信デバイスに伝送するように構成された伝送装置を備え、１つの周期における少なくとも１つのサブフレーム内の前記ＳＳＳは、複数の直交周波数分割多重化（ＯＦＤＭ）シンボルを占有し、少なくとも１つのサブフレーム内の前記複数のＯＦＤＭシンボルは、連続であり、かつ、それぞれが、第１のシーケンスのサブセットに対応し、連続である前記複数のＯＦＤＭシンボル内の各ＯＦＤＭシンボルは、１１の長さを有するＺａｄｏｆｆ−Ｃｈｕ（ＺＣ）シーケンスに対応し、前記ＳＳＳは、１２のサブキャリアを含むダウンリンクキャリアの１１のサブキャリアを経由して伝送され、各ＺＣシーケンスは、対応するＯＦＤＭシンボルインデックスによって決定される、デバイス。
【請求項９】
少なくとも１つのサブフレーム内の前記ＳＳＳに対応する前記第１のシーケンスは、セル識別およびタイミング情報のうちの少なくとも１つに基づいて構成される、請求項８に記載のデバイス。
【請求項１０】
前記複数のＯＦＤＭシンボルは、基準信号を搬送しない、請求項８に記載のデバイス。
【請求項１１】
同期信号を受信するためのデバイスであって、
前記デバイスは、一次同期信号（ＰＳＳ）を周期的にワイヤレス通信デバイスへと受信するように構成された受信装置を備え、ある周期における少なくとも１つのサブフレーム内の前記ＰＳＳは、複数の直交周波数分割多重化（ＯＦＤＭ）シンボルを占有し、前記複数のＯＦＤＭシンボルは、連続であり、かつ、それぞれが、１つのシーケンスに対応し、連続である前記複数のＯＦＤＭシンボル内の各ＯＦＤＭシンボルは、１１の長さを有するＺａｄｏｆｆ−Ｃｈｕ（ＺＣ）シーケンスに対応し、前記ＰＳＳは、１２のサブキャリアを含むダウンリンクキャリアの１１のサブキャリアを経由して伝送され、各ＺＣシーケンスは、対応するＯＦＤＭシンボルインデックスによって決定される、デバイス。
【請求項１２】
前記複数のＯＦＤＭシンボルは、基準信号を搬送しない、請求項１１に記載のデバイス。
【請求項１３】
同期信号を受信するためのデバイスであって、
前記デバイスは、二次同期信号（ＳＳＳ）を周期的にワイヤレス通信デバイスへと受信するように構成された受信装置を備え、１つの周期における少なくとも１つのサブフレーム内の前記ＳＳＳは、複数の直交周波数分割多重化（ＯＦＤＭ）シンボルを占有し、少なくとも１つのサブフレーム内の前記複数のＯＦＤＭシンボルは、連続であり、かつ、それぞれが、第１のシーケンスのサブセットに対応し、連続である前記複数のＯＦＤＭシンボル内の各ＯＦＤＭシンボルは、１１の長さを有するＺａｄｏｆｆ−Ｃｈｕ（ＺＣ）シーケンスに対応し、前記ＳＳＳは、１２のサブキャリアを含むダウンリンクキャリアの１１のサブキャリアを経由して伝送され、各ＺＣシーケンスは、対応するＯＦＤＭシンボルインデックスによって決定される、デバイス。
【請求項１４】
少なくとも１つのサブフレーム内の前記ＳＳＳに対応する前記第１のシーケンスは、セル識別およびタイミング情報のうちの少なくとも１つに基づいて構成される、請求項１３に記載のデバイス。
【請求項１５】
前記複数のＯＦＤＭシンボルは、基準信号を搬送しない、請求項１３に記載のデバイス。
【請求項１６】
非一過性のコンピュータ読み取り可能な媒体であって、前記非一過性のコンピュータ可読媒体には、請求項１〜５のいずれか１項を実施するためのコンピュータ実行可能な命令が記憶されている、非一過性のコンピュータ読み取り可能な媒体。
【発明の詳細な説明】
【技術分野】
【０００１】
本開示は、通信技術に関し、より具体的には、同期信号の伝送のための方法および装置に関する。
【背景技術】
【０００２】
（背景）
マシンツーマシン（Ｍ２Ｍ）ユーザ通信デバイスとも称される、マシンタイプ通信（ＭＴＣ）ユーザ機器（ＵＥ）（またはユーザ端末もしくは端末）は、モノのインターネット（ＩｏＴ）の用途の現在主流の形態である。第三世代パートナーシッププロジェクト（３ＧＰＰ）技術報告書（ＴＲ）４５．８２０Ｖ２００では、セルラーＩｏＴ（Ｃ−ＩｏＴ）に好適ないくつかの技法が、開示されており、その中でも、狭帯域ロングタームエボリューション（ＮＢ−ＬＴＥ）は、最も魅力的なものである。システムの帯域幅は、２００ＫＨｚであり、これは、モバイル通信用グローバルシステム（ＧＳＭ（登録商標））システムのチャネル帯域幅と同一である。これは、ＮＢ−ＬＴＥシステムが、ＧＳＭ（登録商標）システムのスペクトルを再使用し、近隣ＧＳＭ（登録商標）チャネルとの干渉を低減させるために有利である。ＮＢ−ＬＴＥは、１８０ＫＨｚの伝送帯域幅および１５ＫＨｚのダウンリンクサブキャリア間隔を有し、これは、１つの物理リソースブロック（ＰＲＢ）の帯域幅およびロングタームエボリューション（ＬＴＥ）システムのサブキャリア間隔と同一である。そのような狭帯域システムに関して、現在のＬＴＥシステムでは６つのＰＲＢを占有する、一次同期信号（ＰＳＳ）および二次同期信号（ＳＳＳ）の設計は、もはや好適ではなく、ＰＳＳ／ＳＳＳの新しい設計が、したがって、必要とされる。
【０００３】
関連技術では、現在、ＮＢ−ＬＴＥシステムにおける同期信号の不適切な設計と関連付けられた問題に対する実行可能なソリューションは、存在しない。
【発明の概要】
【発明が解決しようとする課題】
【０００４】
本開示の実施形態は、関連技術における少なくともＮＢ−ＬＴＥシステムにおける同期信号の不適切な設計と関連付けられた問題を解決可能な同期信号の伝送のための方法および装置を提供する。
【課題を解決するための手段】
【０００５】
（要約）
本開示の実施形態の側面によると、同期信号の伝送のための方法が、提供される。本方法は、基地局によって、同期信号を繰り返しかつ周期的に端末に伝送することを含む。１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。
【０００６】
随意に、１つ以上のサブフレームのうちの１つに関して、複数のＯＦＤＭシンボルは、そのサブフレーム内に複数の連続ＯＦＤＭシンボルを含む。代替として、同期信号が、１つ以上のサブフレームを経由して伝送されるとき、複数のＯＦＤＭシンボルは、各スロット内の第３のＯＦＤＭシンボル、第４のＯＦＤＭシンボル、および最後の２つのＯＦＤＭシンボルを含む、所定のセットからのシンボルである。
【０００７】
随意に、ＰＳＳは、ｋ１の連続無線フレーム内にあり、Ｔ１の無線フレームの周期で伝送され、Ｔ１≧ｋ１であり、ＳＳＳは、Ｔ２の無線フレームの周期で伝送される。代替として、ＰＳＳは、Ｔ３の無線フレームの周期で伝送され、ＳＳＳは、ｋ２の連続無線フレーム内にあり、Ｔ４の無線フレームの周期で伝送され、Ｔ４≧ｋ２である。代替として、ＰＳＳおよびＳＳＳは、ｋ３の連続無線フレーム内にあり、Ｔ５の無線フレームの周期で伝送され、Ｔ５≧ｋ３である。ｋ１、ｋ２、ｋ３、Ｔ１、Ｔ２、Ｔ３、Ｔ４、およびＴ５のそれぞれは、正の整数である。
【０００８】
随意に、１つの繰り返し周期では、同期信号は、ＭのＯＦＤＭシンボルを含み、ｍ番目のＯＦＤＭシンボルは、１５／ＡｍＫＨｚのサブキャリア間隔を有し、１≦ｍ≦Ｍであり、ｍ、Ｍ、およびＡｍのそれぞれは、正の整数である。
【０００９】
随意に、Ａｍ＝２であるとき、サブキャリア間隔は、７．５ＫＨｚであり、ＯＦＤＭシンボルは、スロット内の第３のＯＦＤＭシンボルおよび第４のＯＦＤＭシンボルまたはスロット内の最後の２つのＯＦＤＭシンボルのうちの１つを含む、２つの連続ＯＦＤＭシンボルである。Ａｍ＝４であるとき、サブキャリア間隔は、３．７５ＫＨｚであり、ＯＦＤＭシンボルは、４つの連続ＯＦＤＭシンボルである。
【００１０】
随意に、スタンドアロンシナリオでは、基準信号は、同期信号が位置する、１つ以上のサブフレーム内の同期信号に対応するＯＦＤＭシンボルを経由して伝送されない。代替として、スタンドアロンシナリオでは、基準信号は、同期信号が位置する、１つ以上のサブフレーム内の最初のｑのＯＦＤＭシンボルを経由してのみ伝送され、ｑは、正の整数である。
【００１１】
随意に、１つの繰り返し周期では、同期信号は、セル識別および／またはタイミング情報に基づいて生成される複数のシーケンスを含む。
【００１２】
随意に、１つの繰り返し周期では、複数のシーケンスを含む同期信号は、１つの繰り返し周期に、それぞれのＯＦＤＭシンボルが１つのシーケンスに対応して同期信号内に含まれ、または１つの繰り返し周期に、複数のＯＦＤＭシンボルが、１つのシーケンスに対応して同期信号内に含まれ、かつＯＦＤＭシンボルのそれぞれが、シーケンスのサブシーケンスに対応し、または１つの繰り返し周期における複数のサブフレームでは、複数のサブフレームのそれぞれが、１つのシーケンスに対応することを含む。
【００１３】
随意に、１つの繰り返し周期では、同期信号内に含まれるそれぞれのＯＦＤＭシンボルは、１つのシーケンスに対応する。
【００１４】
随意に、同期信号内に含まれるそれぞれのＯＦＤＭシンボルは、１１の長さを有するＺＣシーケンスに対応する。同期信号は、１２のサブキャリアを含むキャリアに対応する。
【００１５】
随意に、同期信号内に含まれる、それぞれのＯＦＤＭシンボルまたは複数のＯＦＤＭシンボルが、シーケンスに対応するとき、シーケンスは、シーケンスに対応するＯＦＤＭシンボルに基づいて判定される。
【００１６】
随意に、同期信号が時間ドメインにおいて１つ以上のサブフレーム内の複数のＯＦＤＭシンボルに対応して経時的に伝送されることは、同期信号がｍのＯＦＤＭシンボルに対応して経時的に伝送されることを含み、ｍ∈｛５，６，７，８，１０，１２｝である。
【００１７】
随意に、複数のＯＦＤＭシンボルに対応する時間は、それぞれが１つのシーケンスに対応する、２つの部分を含む。２つの部分は、時間順に分割される。代替として、２つの部分は、奇数のインデックスを有するＯＦＤＭシンボルに対応する時間と、偶数のインデックスを有するＯＦＤＭシンボルに対応する時間とを含む。インデックスは、時間順に０から、同期信号に対応するＯＦＤＭシンボルを再付番することによって判定される。
【００１８】
随意に、同期信号に対応するＯＦＤＭシンボル上では、セル特有の基準信号（ＣＲＳ）を伝送するために使用されないサブキャリアに関して、同期信号は、ｙ（ｋ）＝ｘ（ｋ）・ｃであり、ｃ＝ｓ（ｋ０）／ｘ（ｋ０）であり、ｋ０は、シンボル上の所定のリソース要素（ＲＥ）内のＣＲＳに関するサブキャリアインデックスであり、ｘ（ｋ０）は、サブキャリア＃ｋ０に対応するＰＳＳまたはＳＳＳシーケンスの値であり、ｓ（ｋ０）は、サブキャリア＃ｋ０に対応するＣＲＳシンボル値である。
【００１９】
本開示の別の側面によると、同期信号の伝送のための方法が、提供される。本方法は、端末によって、繰り返しかつ周期的に基地局から伝送される同期信号を受信することを含む。１つの繰り返し周期では、同期信号は、１つ以上のサブフレーム内の複数の直交周波数分割多重化（ＯＦＤＭ）シンボルに対応して、経時的に受信される。同期信号は、一次同期信号（ＰＳＳ）または二次同期信号（ＳＳＳ）である。
【００２０】
随意に、１つ以上のサブフレームのうちの１つに関して、複数のＯＦＤＭシンボルは、そのサブフレーム内に複数の連続ＯＦＤＭシンボルを含む。代替として、同期信号が、１つ以上のサブフレームを経由して受信されるとき、複数のＯＦＤＭシンボルは、各スロット内の第３のＯＦＤＭシンボル、第４のＯＦＤＭシンボル、および最後の２つのＯＦＤＭシンボルを含む、所定のセットからのシンボルである。
【００２１】
随意に、ＰＳＳは、ｋ１の連続無線フレーム内にあり、Ｔ１の無線フレームの周期で受信され、Ｔ１≧ｋ１であり、ＳＳＳは、Ｔ２の無線フレームの周期で受信される。代替として、ＰＳＳは、Ｔ３の無線フレームの周期で受信され、ＳＳＳは、ｋ２の連続無線フレーム内にあり、Ｔ４の無線フレームの周期で受信され、Ｔ４≧ｋ２である。代替として、ＰＳＳおよびＳＳＳは、ｋ３の連続無線フレーム内にあり、Ｔ５の無線フレームの周期で受信され、Ｔ５≧ｋ３である。ｋ１、ｋ２、ｋ３、Ｔ１、Ｔ２、Ｔ３、Ｔ４、およびＴ５のそれぞれは、正の整数である。
【００２２】
随意に、１つの繰り返し周期では、同期信号は、ＭのＯＦＤＭシンボルを含み、ｍ番目のＯＦＤＭシンボルは、１５／ＡｍＫＨｚのサブキャリア間隔を有し、１≦ｍ≦Ｍであり、ｍ、Ｍ、およびＡｍのそれぞれは、正の整数である。
【００２３】
随意に、Ａｍ＝２であるとき、サブキャリア間隔は、７．５ＫＨｚであり、ＯＦＤＭシンボルは、スロット内の第３のＯＦＤＭシンボルおよび第４のＯＦＤＭシンボルまたはスロット内の最後の２つのＯＦＤＭシンボルのうちの１つを含む、２つの連続ＯＦＤＭシンボルである。Ａｍ＝４であるとき、サブキャリア間隔は、３．７５ＫＨｚであり、ＯＦＤＭシンボルは、４つの連続ＯＦＤＭシンボルである。
【００２４】
随意に、スタンドアロンシナリオでは、基準信号は、同期信号が位置する、１つ以上のサブフレーム内の同期信号に対応するＯＦＤＭシンボルを経由して受信されない。代替として、スタンドアロンシナリオでは、基準信号は、同期信号が位置する、１つ以上のサブフレーム内の最初のｑのＯＦＤＭシンボルを経由してのみ受信され、ｑは、正の整数である。
【００２５】
随意に、１つの繰り返し周期では、同期信号は、セル識別および／またはタイミング情報に基づいて生成される複数のシーケンスを含む。
【００２６】
随意に、１つの繰り返し周期では、複数のシーケンスを含む同期信号は、１つの繰り返し周期に、それぞれのＯＦＤＭシンボルが１つのシーケンスに対応して同期信号内に含まれ、または１つの繰り返し周期に、複数のＯＦＤＭシンボルが、１つのシーケンスに対応して同期信号内に含まれ、かつＯＦＤＭシンボルのそれぞれが、シーケンスのサブシーケンスに対応し、または１つの繰り返し周期における複数のサブフレームでは、複数のサブフレームのそれぞれが１つのシーケンスに対応することを含む。
【００２７】
随意に、同期信号内に含まれる、それぞれのＯＦＤＭシンボルまたは複数のＯＦＤＭシンボルが、シーケンスに対応するとき、シーケンスは、シーケンスに対応するＯＦＤＭシンボルに基づいて判定される。
【００２８】
随意に、同期信号が時間ドメインにおいて１つ以上のサブフレーム内の複数のＯＦＤＭシンボルに対応して経時的に受信されることは、同期信号がｍのＯＦＤＭシンボルに対応して経時的に受信されることを含み、ｍ∈｛５，６，７，８，１０，１２｝である。
【００２９】
随意に、複数のＯＦＤＭシンボルに対応する時間は、それぞれが１つのシーケンスに対応する、２つの部分を含む。２つの部分は、時間順に分割される。代替として、２つの部分は、奇数のインデックスを有するＯＦＤＭシンボルに対応する時間と、偶数のインデックスを有するＯＦＤＭシンボルに対応する時間とを含む。インデックスは、時間順に０から開始するように同期信号に対応するＯＦＤＭシンボルを再付番することによって判定される。
【００３０】
随意に、同期信号に対応するＯＦＤＭシンボル上では、セル特有の基準信号（ＣＲＳ）を受信するために使用されないサブキャリアに関して、同期信号は、ｙ（ｋ）＝ｘ（ｋ）・ｃであり、ｃ＝ｓ（ｋ０）／ｘ（ｋ０）であり、ｋ０は、シンボル上の所定のリソース要素（ＲＥ）内のＣＲＳに関するサブキャリアインデックスであり、ｘ（ｋ０）は、サブキャリア＃ｋ０に対応するＰＳＳまたはＳＳＳシーケンスの値であり、ｓ（ｋ０）は、サブキャリア＃ｋ０に対応するＣＲＳシンボル値である。
【００３１】
随意に、同期信号の位置は、セル識別と、同期信号に対応する、周波数ドメイン位置、ＰＲＢインデックス、または周波数オフセットとのうちの少なくとも１つから判定される。
【００３２】
随意に、同期信号は、セル識別がＸであるとき、同期信号が位置する、ＰＲＢの最後のＮのサブキャリア内に、またはセル識別がＹであるとき、同期信号が位置する、ＰＲＢの最初のＮのサブキャリア内に位置し、Ｎは、正の整数である。
【００３３】
随意に、セル識別Ｘは、ｍｏｄ（Ｘ、３）＝０を満たし、セル識別Ｙは、ｍｏｄ（Ｙ、３）≠０を満たす。代替として、セル識別Ｙは、ｍｏｄ（Ｙ、３）＝２を満たし、セル識別Ｘは、ｍｏｄ（Ｘ、３）≠２を満たす。代替として、セル識別Ｘは、ｍｏｄ（Ｘ、６）＝０を満たし、セル識別Ｙは、ｍｏｄ（Ｙ、６）≠０を満たす。代替として、セル識別Ｙは、ｍｏｄ（Ｙ、６）＝５を満たし、セル識別Ｘは、ｍｏｄ（Ｘ、６）≠５を満たす。
【００３４】
随意に、同期信号内に含まれるそれぞれのＯＦＤＭシンボルが、１つのシーケンスに対応するとき、シーケンスは、１１の長さを有する、ＺＣシーケンス
【化１】
0006586520.tif 000002
である。異なるルートインデックスは、近隣ＯＦＤＭシンボル上で使用され、ｎは、シーケンス値のインデックスを示し、ｕは、ＺＣシーケンスのルートインデックスを示し、Ｎは、ＺＣシーケンスの長さを示し、Ｎ＝１１である。
【００３５】
随意に、ＺＣシーケンスに関するルートインデックスは、第１のグループが、ｕ＝｛５，６，４，７，３，８｝を有するＺＣシーケンスを含み、第２のグループが、ｕ＝｛２，９｝を有するＺＣシーケンスを含み、第３のグループが、ｕ＝｛１，１０｝を有するＺＣシーケンスを含む、第１のスキームと、第１のグループが、ｕ＝｛１，１０，２，９，３，８｝を有するＺＣシーケンスを含み、第２のグループが、ｕ＝｛４，７｝を有するＺＣシーケンスを含み、第３のグループが、ｕ＝｛５，６｝を有するＺＣシーケンスを含む、第２のスキームとのうちの少なくとも１つに従ってグループに分割される。第２のグループ内のシーケンスおよび第３のグループ内のシーケンスは、相互交換可能である。
【００３６】
随意に、ＺＣシーケンスの第１のグループは、最初のＯＦＤＭシンボル上にマップされ、ＺＣシーケンスの第２のグループは、第２のＯＦＤＭシンボル上にマップされ、ＺＣシーケンスの第３のグループは、第３のＯＦＤＭシンボル上にマップされる。最初のＯＦＤＭシンボルは、サブフレーム内に｛５，６，９，１０，１２，１３｝のＯＦＤＭシンボルインデックスを有するシンボルを含み、第２のＯＦＤＭシンボルは、サブフレーム内に｛３，４｝のＯＦＤＭシンボルインデックスを有するシンボルを含み、第３のＯＦＤＭシンボルは、サブフレーム内に｛７，８｝のＯＦＤＭシンボルインデックスを有するシンボルを含む。サブフレーム内のシンボルインデックスは、０から開始する。
【００３７】
随意に、同期信号は、サブフレーム内の最後であるが、２つのＯＦＤＭシンボル上において、サブフレーム内の最後のＯＦＤＭシンボル上で使用されるＺＣシーケンス、第２のスロットの最初のＯＦＤＭシンボル上で使用されるＺＣシーケンス、第１のスロットの最後のＯＦＤＭシンボル上で使用されるＺＣシーケンス、またはサブフレーム内の最初のＯＦＤＭシンボル上で同期信号によって使用されるＺＣシーケンスと同一ＺＣシーケンスを使用する。
【００３８】
随意に、通常巡回プレフィックス（ＣＰ）に関して、同期信号内に含まれるＯＦＤＭシンボルに対応するシーケンスのルートインデックスは、時間順に、
｛１，２，３，４，５，６，７，８，９，１０，１｝
｛１，２，３，４，５，１，６，７，８，９，１０｝
｛１，１０，２，９，３，５，８，４，７，５，６｝
｛１，１０，２，９，３，８，４，７，６，５，６｝
｛２，９，５，６，１，１０，４，７，３，８，３｝
｛２，９，３，８，１，１０，４，７，５，６，５｝
のうちの１つである。
【００３９】
随意に、拡張巡回プレフィックス（ＣＰ）に関して、同期信号内に含まれるＯＦＤＭシンボルに対応するシーケンスのルートインデックスは、時間順に、
｛１，２，３，４，５，６，７，８，９｝
｛１，２，３，４，５，７，８，９，１０｝
｛１，１０，２，９，３，４，７，５，６｝
｛１，１０，２，９，３，８，４，７，６｝
｛１，５，６，２，９，３，８，４，７｝
｛１，４，７，２，９，３，８，５，６｝
のうちの１つである。
【００４０】
本開示の実施形態の別の側面によると、同期信号の伝送のための基地局側に位置する装置が、提供される。本装置は、同期信号を繰り返しかつ周期的に端末に伝送するように構成される、伝送モジュールを含む。１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。
【００４１】
本開示の実施形態の別の側面によると、同期信号の伝送のための端末側に位置する装置が、提供される。本装置は、基地局から伝送される同期信号を繰り返しかつ周期的に受信するように構成される、受信モジュールを含む。１つの繰り返し周期では、同期信号は、１つ以上のサブフレーム内の複数の直交周波数分割多重化（ＯＦＤＭ）シンボルに対応して、経時的に受信される。同期信号は、一次同期信号（ＰＳＳ）または二次同期信号（ＳＳＳ）である。
【００４２】
本開示の別の実施形態によると、記憶媒体が、提供される。記憶媒体は、基地局によって、同期信号を繰り返しかつ周期的に端末に伝送するステップを行うためのプログラムコードを記憶するように構成される。１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。
【００４３】
随意に、記憶媒体はさらに、同期信号がｍのＯＦＤＭシンボルに対応して経時的に伝送されるようなプログラムコードを記憶するように構成され、ｍ∈｛５，６，７，８，１０，１２｝である。
【００４４】
随意に、記憶媒体はさらに、複数のＯＦＤＭシンボルに対応する時間が、それぞれが１つのシーケンスに対応する、２つの部分を含むようなプログラムコードを記憶するように構成される。２つの部分は、時間順に分割される。代替として、２つの部分は、奇数のインデックスを有するＯＦＤＭシンボルに対応する時間と、偶数のインデックスを有するＯＦＤＭシンボルに対応する時間とを含む。インデックスは、時間順に０から、同期信号に対応するＯＦＤＭシンボルを再付番することによって判定される。
【００４５】
本開示の別の実施形態によると、記憶媒体が、提供される。記憶媒体は、端末によって、繰り返しかつ周期的に基地局から伝送される同期信号を受信するステップを行うためのプログラムコードを記憶するように構成される。１つの繰り返し周期では、同期信号は、１つ以上のサブフレーム内の複数の直交周波数分割多重化（ＯＦＤＭ）シンボルに対応して、経時的に受信される。同期信号は、一次同期信号（ＰＳＳ）または二次同期信号（ＳＳＳ）である。
【００４６】
随意に、記憶媒体はさらに、ＰＳＳが、ｋ１の連続無線フレーム内にあり、Ｔ１の無線フレームの周期で受信され、Ｔ１≧ｋ１であり、ＳＳＳが、Ｔ２の無線フレームの周期で受信され、またはＰＳＳが、Ｔ３の無線フレームの周期で受信され、ＳＳＳが、ｋ２の連続無線フレーム内にあり、Ｔ４の無線フレームの周期で受信され、Ｔ４≧ｋ２であり、またはＰＳＳおよびＳＳＳが、ｋ３の連続無線フレーム内にあり、Ｔ５の無線フレームの周期で受信され、Ｔ５≧ｋ３であるようなプログラムコードを記憶するように構成される。ｋ１、ｋ２、ｋ３、Ｔ１、Ｔ２、Ｔ３、Ｔ４、およびＴ５のそれぞれは、正の整数である。
【００４７】
随意に、記憶媒体はさらに、スタンドアロンシナリオでは、基準信号が、同期信号が位置する、１つ以上のサブフレーム内の同期信号に対応するＯＦＤＭシンボルを経由して受信されなく、またはスタンドアロンシナリオでは、基準信号が、同期信号が位置する、１つ以上のサブフレーム内の最初のｑのＯＦＤＭシンボルを経由してのみ受信され、ｑが、正の整数であるようなプログラムコードを記憶するように構成される。
【００４８】
随意に、記憶媒体はさらに、１つの繰り返し周期では、同期信号が、セル識別および／またはタイミング情報に基づいて生成される複数のシーケンスを含むようなプログラムコードを記憶するように構成される。
【００４９】
随意に、記憶媒体はさらに、１つの繰り返し周期に、それぞれのＯＦＤＭシンボルが１つのシーケンスに対応して同期信号内に含まれ、または１つの繰り返し周期に、複数のＯＦＤＭシンボルが、１つのシーケンスに対応して同期信号内に含まれ、かつＯＦＤＭシンボルのそれぞれが、シーケンスのサブシーケンスに対応し、または１つの繰り返し周期における複数のサブフレームでは、複数のサブフレームのそれぞれが１つのシーケンスに対応するようなプログラムコードを記憶するように構成される。
【００５０】
本開示の実施形態を用いて、基地局が、同期信号を繰り返しかつ周期的に端末に伝送する。１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。代替として、端末が、基地局から伝送される同期信号を繰り返しかつ周期的に受信する。このように、ＮＢ−ＬＴＥシステムにおける同期信号の不適切な設計と関連付けられた問題は、解決されることができ、狭帯域システムにおける同期信号の適切な伝送が、達成されることができる。
本願明細書は、例えば、以下の項目も提供する。
（項目１）
同期信号の伝送のための方法であって、
基地局によって、前記同期信号を繰り返しかつ周期的に端末に伝送することを含み、
１つの繰り返し周期において、前記同期信号は、１つ以上のサブフレーム内の複数の直交周波数分割多重化（ＯＦＤＭ）シンボルに対応して、経時的に伝送され、前記同期信号は、一次同期信号（ＰＳＳ）または二次同期信号（ＳＳＳ）である、方法。
（項目２）
１つのサブフレームに関して、前記複数のＯＦＤＭシンボルは、そのサブフレーム内に複数の連続ＯＦＤＭシンボルを備え、または
前記同期信号が、前記１つ以上のサブフレームを経由して伝送されるとき、前記複数のＯＦＤＭシンボルは、各スロット内の第３のＯＦＤＭシンボル、第４のＯＦＤＭシンボル、および最後の２つのＯＦＤＭシンボルを備える、所定のセットからのシンボルである、項目１に記載の方法。
（項目３）
前記ＰＳＳは、ｋ１の連続無線フレーム内にあり、Ｔ１の無線フレームの周期で伝送され、Ｔ１≧ｋ１であり、前記ＳＳＳは、Ｔ２の無線フレームの周期で伝送され、または
前記ＰＳＳは、Ｔ３の無線フレームの周期で伝送され、前記ＳＳＳは、ｋ２の連続無線フレーム内にあり、Ｔ４の無線フレームの周期で伝送され、Ｔ４≧ｋ２であり、または
前記ＰＳＳおよび前記ＳＳＳは、ｋ３の連続無線フレーム内にあり、Ｔ５の無線フレームの周期で伝送され、Ｔ５≧ｋ３であり、
ｋ１、ｋ２、ｋ３、Ｔ１、Ｔ２、Ｔ３、Ｔ４、およびＴ５のそれぞれは、正の整数である、項目１または２に記載の方法。
（項目４）
１つの繰り返し周期において、前記同期信号は、ＭのＯＦＤＭシンボルを備え、ｍ番目のＯＦＤＭシンボルは、１５／ＡｍＫＨｚのサブキャリア間隔を有し、１≦ｍ≦Ｍであり、ｍ、Ｍ、およびＡｍのそれぞれは、正の整数である、項目１に記載の方法。
（項目５）
Ａｍ＝２であるとき、前記サブキャリア間隔は、７．５ＫＨｚであり、前記ＯＦＤＭシンボルは、
スロット内の前記第３のＯＦＤＭシンボルおよび前記第４のＯＦＤＭシンボル、または
スロット内の前記最後の２つのＯＦＤＭシンボル、
のうちの１つを備える、２つの連続ＯＦＤＭシンボルであり、
Ａｍ＝４であるとき、前記サブキャリア間隔は、３．７５ＫＨｚであり、前記ＯＦＤＭシンボルは、４つの連続ＯＦＤＭシンボルである、項目４に記載の方法。
（項目６）
スタンドアロンシナリオにおいて、基準信号は、前記同期信号が位置する、前記１つ以上のサブフレーム内の前記同期信号に対応するＯＦＤＭシンボルを経由して伝送されなく、または
前記スタンドアロンシナリオにおいて、基準信号は、前記同期信号が位置する、前記１つ以上のサブフレーム内の最初のｑのＯＦＤＭシンボルを経由してのみ伝送され、ｑは、正の整数である、項目１に記載の方法。
（項目７）
１つの繰り返し周期において、前記同期信号は、セル識別および／またはタイミング情報に基づいて生成される複数のシーケンスを備える、項目１に記載の方法。
（項目８）
１つの繰り返し周期において複数のシーケンスを備える前記同期信号は、
１つの繰り返し周期に、それぞれのＯＦＤＭシンボルが、１つのシーケンスに対応して前記同期信号内に含まれ、または
１つの繰り返し周期に、複数のＯＦＤＭシンボルが、１つのシーケンスに対応して前記同期信号内に含まれ、かつ前記ＯＦＤＭシンボルのそれぞれが、前記シーケンスのサブシーケンスに対応し、または
１つの繰り返し周期における複数のサブフレームにおいて、前記複数のサブフレームのそれぞれが、１つのシーケンスに対応する、ことを含む、項目７に記載の方法。
（項目９）
１つの繰り返し周期において、前記同期信号内に含まれるそれぞれのＯＦＤＭシンボルは、１つのシーケンスに対応する、項目１に記載の方法。
（項目１０）
前記同期信号内に含まれるそれぞれのＯＦＤＭシンボルは、１１の長さを有するＺＣシーケンスに対応し、
前記同期信号は、１２のサブキャリアを含むキャリアに対応する、項目９に記載の方法。
（項目１１）
前記同期信号内に含まれる、それぞれのＯＦＤＭシンボルまたは複数のＯＦＤＭシンボルが、シーケンスに対応するとき、前記シーケンスは、前記シーケンスに対応するＯＦＤＭシンボルに基づいて判定される、項目９に記載の方法。
（項目１２）
前記同期信号が１つ以上のサブフレーム内の複数のＯＦＤＭシンボルに対応して経時的に伝送されることは、前記同期信号がｍのＯＦＤＭシンボルに対応して経時的に伝送されることを含み、ｍ∈｛５，６，７，８，１０，１２｝である、項目１または２に記載の方法
（項目１３）
前記複数のＯＦＤＭシンボルに対応する時間は、それぞれが１つのシーケンスに対応する、２つの部分を備え、
前記２つの部分は、時間順に分割され、または
前記２つの部分は、奇数のインデックスを有するＯＦＤＭシンボルに対応する時間と、偶数のインデックスを有するＯＦＤＭシンボルに対応する時間とを備え、前記インデックスは、時間順に０から、前記同期信号に対応するＯＦＤＭシンボルを再付番することによって判定される、項目１に記載の方法。
（項目１４）
前記同期信号に対応するＯＦＤＭシンボル上において、セル特有の基準信号（ＣＲＳ）を伝送するために使用されないサブキャリアに関して、前記同期信号は、ｙ（ｋ）＝ｘ（ｋ）・ｃであり、ｃ＝ｓ（ｋ０）／ｘ（ｋ０）であり、ｋ０は、前記シンボル上の所定のリソース要素（ＲＥ）内のＣＲＳに関するサブキャリアインデックスであり、ｘ（ｋ０）は、前記サブキャリア＃ｋ０に対応するＰＳＳまたはＳＳＳシーケンスの値であり、ｓ（ｋ０）は、前記サブキャリア＃ｋ０に対応するＣＲＳシンボル値である、項目１に記載の方法。
（項目１５）
同期信号の伝送のための方法であって、
端末によって、繰り返しかつ周期的に基地局から伝送される前記同期信号を受信することを含み、
１つの繰り返し周期において、前記同期信号は、１つ以上のサブフレーム内の複数の直交周波数分割多重化（ＯＦＤＭ）シンボルに対応して、経時的に受信され、前記同期信号は、一次同期信号（ＰＳＳ）または二次同期信号（ＳＳＳ）である、方法。
（項目１６）
前記１つ以上のサブフレームのうちの１つに関して、前記複数のＯＦＤＭシンボルは、そのサブフレーム内に複数の連続ＯＦＤＭシンボルを備え、または
前記同期信号が、前記１つ以上のサブフレームを経由して受信されるとき、前記複数のＯＦＤＭシンボルは、各スロット内の第３のＯＦＤＭシンボル、第４のＯＦＤＭシンボル、および最後の２つのＯＦＤＭシンボルを備える、所定のセットからのシンボルである、項目１５に記載の方法。
（項目１７）
前記ＰＳＳは、ｋ１の連続無線フレーム内にあり、Ｔ１の無線フレームの周期で受信され、Ｔ１≧ｋ１であり、前記ＳＳＳは、Ｔ２の無線フレームの周期で受信され、または
前記ＰＳＳは、Ｔ３の無線フレームの周期で受信され、前記ＳＳＳは、ｋ２の連続無線フレーム内にあり、Ｔ４の無線フレームの周期で受信され、Ｔ４≧ｋ２であり、または
前記ＰＳＳおよび前記ＳＳＳは、ｋ３の連続無線フレーム内にあり、Ｔ５の無線フレームの周期で受信され、Ｔ５≧ｋ３であり、
ｋ１、ｋ２、ｋ３、Ｔ１、Ｔ２、Ｔ３、Ｔ４、およびＴ５のそれぞれは、正の整数である、項目１５または１６に記載の方法。
（項目１８）
１つの繰り返し周期において、前記同期信号は、ＭのＯＦＤＭシンボルを備え、ｍ番目のＯＦＤＭシンボルは、１５／ＡｍＫＨｚのサブキャリア間隔を有し、１≦ｍ≦Ｍであり、ｍ、Ｍ、およびＡｍのそれぞれは、正の整数である、項目１５に記載の方法。
（項目１９）
Ａｍ＝２であるとき、前記サブキャリア間隔は、７．５ＫＨｚであり、前記ＯＦＤＭシンボルは、
スロット内の前記第３のＯＦＤＭシンボルおよび前記第４のＯＦＤＭシンボル、または
スロット内の前記最後の２つのＯＦＤＭシンボル、
のうちの１つを備える、２つの連続ＯＦＤＭシンボルであり、
Ａｍ＝４であるとき、前記サブキャリア間隔は、３．７５ＫＨｚであり、前記ＯＦＤＭシンボルは、４つの連続ＯＦＤＭシンボルである、項目１８に記載の方法。
（項目２０）
スタンドアロンシナリオにおいて、基準信号は、前記同期信号が位置する、前記１つ以上のサブフレーム内の前記同期信号に対応するＯＦＤＭシンボルを経由して受信されなく、または
前記スタンドアロンシナリオにおいて、基準信号は、前記同期信号が位置する、前記１つ以上のサブフレーム内の最初のｑのＯＦＤＭシンボルを経由してのみ受信され、ｑは、正の整数である、項目１５に記載の方法。
（項目２１）
１つの繰り返し周期において、前記同期信号は、セル識別および／またはタイミング情報に基づいて生成される複数のシーケンスを備える、項目１５に記載の方法。
（項目２２）
１つの繰り返し周期において複数のシーケンスを備える前記同期信号は、
１つの繰り返し周期に、それぞれのＯＦＤＭシンボルが、１つのシーケンスに対応して前記同期信号内に含まれ、または
１つの繰り返し周期に、複数のＯＦＤＭシンボルが、１つのシーケンスに対応して前記同期信号内に含まれ、かつ前記ＯＦＤＭシンボルのそれぞれが、前記シーケンスのサブシーケンスに対応し、または
１つの繰り返し周期における複数のサブフレームにおいて、前記複数のサブフレームのそれぞれが、１つのシーケンスに対応する、ことを含む、項目２１に記載の方法。
（項目２３）
前記同期信号内に含まれる、それぞれのＯＦＤＭシンボルまたは複数のＯＦＤＭシンボルが、シーケンスに対応するとき、前記シーケンスは、前記シーケンスに対応するＯＦＤＭシンボルに基づいて判定される、項目２２に記載の方法。
（項目２４）
前記同期信号が１つ以上のサブフレーム内の複数のＯＦＤＭシンボルに対応して経時的に受信されることは、前記同期信号がｍのＯＦＤＭシンボルに対応して経時的に受信されることを含み、ｍ∈｛５，６，７，８，１０，１２｝である、項目１５または１６に記載の方法。
（項目２５）
前記複数のＯＦＤＭシンボルに対応する時間は、それぞれが１つのシーケンスに対応する、２つの部分を備え、
前記２つの部分は、時間順に分割され、または
前記２つの部分は、奇数のインデックスを有するＯＦＤＭシンボルに対応する時間と、偶数のインデックスを有するＯＦＤＭシンボルに対応する時間とを備え、前記インデックスは、時間順に０から開始するように前記同期信号に対応するＯＦＤＭシンボルを再付番することによって判定される、項目１５に記載の方法。
（項目２６）
前記同期信号に対応するＯＦＤＭシンボル上において、セル特有の基準信号（ＣＲＳ）を受信するために使用されないサブキャリアに関して、前記同期信号は、ｙ（ｋ）＝ｘ（ｋ）・ｃであり、ｃ＝ｓ（ｋ０）／ｘ（ｋ０）であり、ｋ０は、前記シンボル上の所定のリソース要素（ＲＥ）内のＣＲＳに関するサブキャリアインデックスであり、ｘ（ｋ０）は、前記サブキャリア＃ｋ０に対応するＰＳＳまたはＳＳＳシーケンスの値であり、ｓ（ｋ０）は、前記サブキャリア＃ｋ０に対応するＣＲＳシンボル値である、項目１５に記載の方法。
（項目２７）
前記同期信号の位置は、
セル識別と、
前記同期信号に対応する、周波数ドメイン位置、ＰＲＢインデックス、または周波数オフセットと
のうちの少なくとも１つから判定される、項目１５に記載の方法。
（項目２８）
前記同期信号は、前記セル識別がＸであるとき、前記同期信号が位置する、前記ＰＲＢの最後のＮのサブキャリア内に、または前記セル識別がＹであるとき、前記同期信号が位置する、前記ＰＲＢの最初のＮのサブキャリア内に位置し、Ｎは、正の整数である、項目２７に記載の方法。
（項目２９）
前記セル識別Ｘは、ｍｏｄ（Ｘ、３）＝０を満たし、前記セル識別Ｙは、ｍｏｄ（Ｙ、３）≠０を満たし、または
前記セル識別Ｙは、ｍｏｄ（Ｙ、３）＝２を満たし、前記セル識別Ｘは、ｍｏｄ（Ｘ、３）≠２を満たし、または
前記セル識別Ｘは、ｍｏｄ（Ｘ、６）＝０を満たし、前記セル識別Ｙは、ｍｏｄ（Ｙ、６）≠０を満たし、または
前記セル識別Ｙは、ｍｏｄ（Ｙ、６）＝５を満たし、前記セル識別Ｘは、ｍｏｄ（Ｘ、６）≠５を満たす、項目２８に記載の方法。
（項目３０）
前記同期信号内に含まれるそれぞれのＯＦＤＭシンボルが、１つのシーケンスに対応するとき、前記シーケンスは、１１の長さを有する、ＺＣシーケンス
【化１】
0006586520.tif 000003
であり、異なるルートインデックスは、近隣ＯＦＤＭシンボル上で使用され、ｎは、シーケンス値のインデックスを示し、ｕは、前記ＺＣシーケンスのルートインデックスを示し、Ｎは、前記ＺＣシーケンスの長さを示し、Ｎ＝１１である、項目１５に記載の方法。
（項目３１）
前記ＺＣシーケンスに関するルートインデックスは、
第１のグループが、ｕ＝｛５，６，４，７，３，８｝を有するＺＣシーケンスを含み、第２のグループが、ｕ＝｛２，９｝を有するＺＣシーケンスを含み、第３のグループが、ｕ＝｛１，１０｝を有するＺＣシーケンスを含む、第１のスキームと、
第１のグループが、ｕ＝｛１，１０，２，９，３，８｝を有するＺＣシーケンスを含み、第２のグループが、ｕ＝｛４，７｝を有するＺＣシーケンスを含み、第３のグループが、ｕ＝｛５，６｝を有するＺＣシーケンスを含む、第２のスキームと
のうちの少なくとも１つに従ってグループに分割され、
前記第２のグループ内のシーケンスおよび前記第３のグループ内のシーケンスは、相互交換可能である、項目３０に記載の方法。
（項目３２）
前記ＺＣシーケンスの第１のグループは、最初のＯＦＤＭシンボル上にマップされ、前記ＺＣシーケンスの第２のグループは、第２のＯＦＤＭシンボル上にマップされ、前記ＺＣシーケンスの第３のグループは、第３のＯＦＤＭシンボル上にマップされ、前記最初のＯＦＤＭシンボルは、サブフレーム内に｛５，６，９，１０，１２，１３｝のＯＦＤＭシンボルインデックスを有するシンボルを備え、前記第２のＯＦＤＭシンボルは、サブフレーム内に｛３，４｝のＯＦＤＭシンボルインデックスを有するシンボルを備え、前記第３のＯＦＤＭシンボルは、サブフレーム内に｛７，８｝のＯＦＤＭシンボルインデックスを有するシンボルを備え、前記サブフレーム内のシンボルインデックスは、０から開始する、項目３１に記載の方法。
（項目３３）
前記同期信号は、サブフレーム内の最後であるが、２つのＯＦＤＭシンボル上において、前記サブフレーム内の最後のＯＦＤＭシンボル上で使用されるＺＣシーケンス、第２のスロットの最初のＯＦＤＭシンボル上で使用されるＺＣシーケンス、第１のスロットの最後のＯＦＤＭシンボル上で使用されるＺＣシーケンス、または前記サブフレーム内の最初のＯＦＤＭシンボル上で前記同期信号によって使用されるＺＣシーケンスと同一ＺＣシーケンスを使用する、項目３０に記載の方法。
（項目３４）
通常巡回プレフィックス（ＣＰ）に関して、前記同期信号内に含まれるＯＦＤＭシンボルに対応する前記シーケンスのルートインデックスは、時間順に、
｛１，２，３，４，５，６，７，８，９，１０，１｝
｛１，２，３，４，５，１，６，７，８，９，１０｝
｛１，１０，２，９，３，５，８，４，７，５，６｝
｛１，１０，２，９，３，８，４，７，６，５，６｝
｛２，９，５，６，１，１０，４，７，３，８，３｝
｛２，９，３，８，１，１０，４，７，５，６，５｝
のうちの１つである、項目２９に記載の方法。
（項目３５）
拡張巡回プレフィックス（ＣＰ）に関して、前記同期信号内に含まれるＯＦＤＭシンボルに対応する前記シーケンスのルートインデックスは、時間順に、
｛１，２，３，４，５，６，７，８，９｝
｛１，２，３，４，５，７，８，９，１０｝
｛１，１０，２，９，３，４，７，５，６｝
｛１，１０，２，９，３，８，４，７，６｝
｛１，５，６，２，９，３，８，４，７｝
｛１，４，７，２，９，３，８，５，６｝
のうちの１つである、項目３０に記載の方法。
（項目３６）
同期信号の伝送のための、基地局側に位置する装置であって、
前記同期信号を繰り返しかつ周期的に端末に伝送するように構成された伝送モジュールを備え、
１つの繰り返し周期において、前記同期信号は、１つ以上のサブフレーム内の複数の直交周波数分割多重化（ＯＦＤＭ）シンボルに対応して、経時的に伝送され、前記同期信号は、一次同期信号（ＰＳＳ）または二次同期信号（ＳＳＳ）である、装置。
（項目３７）
同期信号の伝送のための、端末側に位置する装置であって、
基地局から伝送される前記同期信号を繰り返しかつ周期的に受信するように構成された受信モジュールを備え、
１つの繰り返し周期において、前記同期信号は、１つ以上のサブフレーム内の複数の直交周波数分割多重化（ＯＦＤＭ）シンボルに対応して、経時的に受信され、前記同期信号は、一次同期信号（ＰＳＳ）または二次同期信号（ＳＳＳ）である、装置。
【００５１】
本開示は、本開示の一部を構成する、以下に説明される図を参照してさらに理解され得る。本開示の例証的実施形態およびその説明は、本開示を限定するのではなく、説明するために提供される。
【図面の簡単な説明】
【００５２】
【図１】図１は、本開示のある実施形態による、同期信号の伝送のための方法を図示する、第１のフローチャートである。
【図２】図２は、本開示のある実施形態による、同期信号の伝送のための方法を図示する、第２のフローチャートである。
【図３】図３は、本開示のある実施形態による、同期信号の伝送のための装置の構造を示す、第１のブロック図である。
【図４】図４は、本開示のある実施形態による、同期信号の伝送のための装置の構造を示す、第２のブロック図である。
【図５】図５は、本開示の好ましい実施形態による、ＰＳＳ／ＳＳＳによって占有される連続基準シンボルを示す、概略図である。
【図６】図６は、本開示の好ましい実施形態による、ＰＳＳ／ＳＳＳによって占有される非連続基準シンボルを示す、概略図である。
【図７】図７は、本開示の好ましい実施形態による、ＺＣシーケンスに対応するＲＥを示す、概略図である。
【発明を実施するための形態】
【００５３】
（実施形態の詳細な説明）
以下では、本開示は、実施形態と関連して検討される図を参照して詳細に説明されるであろう。実施形態およびその特徴は、競合しないことを前提として、相互に組み合わせられることができる。
【００５４】
説明、請求項、および図中の「第１」、「第２」等の用語は、類似オブジェクト間で区別するために使用され、必ずしも、任意の特定の順序またはシーケンスを含意するわけではないことに留意されたい。
【００５５】
ある実施形態によると、同期信号の伝送のための方法が、提供される。図１は、本開示のある実施形態による、同期信号の伝送のための方法を図示する、第１のフローチャートである。図１に示されるように、方法は、以下のステップを含む。
Ｓ１０２：基地局が、同期信号を取得する。
Ｓ１０４：基地局は、同期信号を繰り返しかつ周期的に端末に伝送する。１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。
【００５６】
前述のステップを用いて、基地局は、同期信号を繰り返しかつ周期的に端末に伝送する。１つの繰り返し周期では、同期信号は、１つ以上のサブフレーム内の複数のＯＦＤＭシンボルに対応して、経時的に伝送される。同期信号は、ＰＳＳまたはＳＳＳである。このように、ＮＢ−ＬＴＥシステムにおける同期信号の不適切な設計と関連付けられた問題は、解決されることができ、狭帯域システムにおける同期信号の適切な伝送が、達成されることができる。
【００５７】
本実施形態では、ステップＳ１０２は、随意である。本実施形態のソリューションは、ステップＳ１０４のみを含むことができる。
【００５８】
本実施形態では、１つのサブフレームに関して、複数のＯＦＤＭシンボルは、そのサブフレーム内に複数の連続ＯＦＤＭシンボルを含む。代替として、同期信号が、１つ以上のサブフレームを経由して伝送されるとき、複数のＯＦＤＭシンボルは、各スロット内の第３のＯＦＤＭシンボル、第４のＯＦＤＭシンボル、および最後の２つのＯＦＤＭシンボルを含む、所定のセットからのシンボルである。
【００５９】
本実施形態では、ＰＳＳは、ｋ１の連続無線フレーム内にあり、Ｔ１の無線フレームの周期で伝送され、Ｔ１≧ｋ１であり、ＳＳＳは、Ｔ２の無線フレームの周期で伝送される。代替として、ＰＳＳは、Ｔ３の無線フレームの周期で伝送され、ＳＳＳは、ｋ２の連続無線フレーム内にあり、Ｔ４の無線フレームの周期で伝送され、Ｔ４≧ｋ２である。代替として、ＰＳＳおよびＳＳＳは、ｋ３の連続無線フレーム内にあり、Ｔ５の無線フレームの周期で伝送され、Ｔ５≧ｋ３である。ｋ１、ｋ２、ｋ３、Ｔ１、Ｔ２、Ｔ３、Ｔ４、およびＴ５のそれぞれは、正の整数である。
【００６０】
本実施形態では、１つの繰り返し周期では、同期信号は、ＭのＯＦＤＭシンボルを含み、ｍ番目のＯＦＤＭシンボルは、１５／ＡｍＫＨｚのサブキャリア間隔を有し、１≦ｍ≦Ｍであり、ｍ、Ｍ、およびＡｍのそれぞれは、正の整数である。
【００６１】
本実施形態では、Ａｍ＝２であるとき、サブキャリア間隔は、７．５ＫＨｚであり、ＯＦＤＭシンボルは、スロット内の第３のＯＦＤＭシンボルおよび第４のＯＦＤＭシンボルまたはスロット内の最後の２つのＯＦＤＭシンボルのうちの１つを含む、２つの連続ＯＦＤＭシンボルである。Ａｍ＝４であるとき、サブキャリア間隔は、３．７５ＫＨｚであり、ＯＦＤＭシンボルは、４つの連続ＯＦＤＭシンボルである。
【００６２】
随意に、スタンドアロンシナリオでは、基準信号は、同期信号が位置する、１つ以上のサブフレーム内の同期信号に対応するＯＦＤＭシンボルを経由して伝送されない。代替として、スタンドアロンシナリオでは、基準信号は、同期信号が位置する、１つ以上のサブフレーム内の最初のｑのＯＦＤＭシンボルを経由してのみ伝送され、ｑは、正の整数である。
【００６３】
本実施形態では、１つの繰り返し周期では、同期信号は、セル識別および／またはタイミング情報に基づいて生成される複数のシーケンスを含む。
【００６４】
本実施形態では、１つの繰り返し周期では、同期信号は、複数のシーケンスを含み、１つの繰り返し周期では、同期信号内に含まれるそれぞれのＯＦＤＭシンボルは、１つのシーケンスに対応し、または１つの繰り返し周期では、複数の同期信号内に含まれるＯＦＤＭシンボルは、１つのシーケンスに対応し、ＯＦＤＭシンボルはそれぞれ、シーケンスのサブシーケンスに対応し、または１つの繰り返し周期における複数のサブフレームでは、複数のサブフレームはそれぞれが、１つのシーケンスに対応する。
【００６５】
本実施形態では、同期信号内に含まれる、それぞれのＯＦＤＭシンボルまたは複数のＯＦＤＭシンボルが、シーケンスに対応するとき、シーケンスは、シーケンスに対応するＯＦＤＭシンボルに基づいて判定される。
【００６６】
本実施形態では、同期信号が時間ドメインにおいて１つ以上のサブフレーム内の複数のＯＦＤＭシンボルに対応して経時的に伝送されることは、同期信号がｍのＯＦＤＭシンボルに対応して経時的に伝送されることを含み、ｍ∈｛５，６，７，８，１０，１２｝である。
【００６７】
本実施形態では、複数のＯＦＤＭシンボルに対応する時間は、それぞれが１つのシーケンスに対応する、２つの部分を含む。２つの部分は、時間順に分割される。代替として、２つの部分は、奇数のインデックスを有するＯＦＤＭシンボルに対応する時間と、偶数のインデックスを有するＯＦＤＭシンボルに対応する時間とを含む。インデックスは、時間順に０から、同期信号に対応するＯＦＤＭシンボルを再付番することによって判定される。
【００６８】
本実施形態では、同期信号に対応するＯＦＤＭシンボル上では、セル特有の基準信号（ＣＲＳ）を伝送するために使用されないサブキャリアに関して、同期信号は、ｙ（ｋ）＝ｘ（ｋ）・ｃであり、ｃ＝ｓ（ｋ０）／ｘ（ｋ０）であり、ｋ０は、シンボル上の所定のリソース要素（ＲＥ）内のＣＲＳに関するサブキャリアインデックスであり、ｘ（ｋ０）は、サブキャリア＃ｋ０に対応するＰＳＳまたはＳＳＳシーケンスの値であり、ｓ（ｋ０）は、サブキャリア＃ｋ０に対応するＣＲＳシンボル値である。
【００６９】
ある実施形態によると、同期信号の伝送のための方法もまた、提供される。図２は、本開示のある実施形態による、同期信号の伝送のための方法を図示する、第２のフローチャートである。図２に示されるように、方法は、以下のステップを含む。
Ｓ２０２：端末が、基地局から伝送される同期信号を繰り返しかつ周期的に受信する。１つの繰り返し周期では、同期信号は、１つ以上のサブフレーム内の複数の直交周波数分割多重化（ＯＦＤＭ）シンボルに対応して、経時的に受信される。同期信号は、一次同期信号（ＰＳＳ）または二次同期信号（ＳＳＳ）である。
Ｓ２０４：端末は、同期信号を判定する。
【００７０】
前述のステップを用いて、端末は、基地局から伝送される同期信号を繰り返しかつ周期的に受信する。１つの繰り返し周期では、同期信号は、１つ以上のサブフレーム内の複数のＯＦＤＭシンボルに対応して、経時的に伝送される。同期信号は、ＰＳＳまたはＳＳＳである。このように、ＮＢ−ＬＴＥシステムにおける同期信号の不適切な設計と関連付けられた問題は、解決されることができ、狭帯域システムにおける同期信号の適切な伝送が、達成されることができる。
【００７１】
本実施形態では、ステップＳ２０４は、随意である。本実施形態のソリューションは、ステップＳ２０２のみを含むことができる。
【００７２】
本実施形態では、１つ以上のサブフレームのうちの１つに関して、複数のＯＦＤＭシンボルは、そのサブフレーム内に複数の連続ＯＦＤＭシンボルを含む。代替として、同期信号が、１つ以上のサブフレームを経由して受信されるとき、複数のＯＦＤＭシンボルは、各スロット内の第３のＯＦＤＭシンボル、第４のＯＦＤＭシンボル、および最後の２つのＯＦＤＭシンボルを含む、所定のセットからのシンボルである。
【００７３】
本実施形態では、ＰＳＳは、ｋ１の連続無線フレーム内にあり、Ｔ１の無線フレームの周期で受信され、Ｔ１≧ｋ１であり、ＳＳＳは、Ｔ２の無線フレームの周期で受信される。代替として、ＰＳＳは、Ｔ３の無線フレームの周期で受信され、ＳＳＳは、ｋ２の連続無線フレーム内にあり、Ｔ４の無線フレームの周期で受信され、Ｔ４≧ｋ２である。代替として、ＰＳＳおよびＳＳＳは、ｋ３の連続無線フレーム内にあり、Ｔ５の無線フレームの周期で受信され、Ｔ５≧ｋ３である。ｋ１、ｋ２、ｋ３、Ｔ１、Ｔ２、Ｔ３、Ｔ４、およびＴ５のそれぞれは、正の整数である。
【００７４】
本実施形態では、１つの繰り返し周期では、同期信号は、ＭのＯＦＤＭシンボルを含み、ｍ番目のＯＦＤＭシンボルは、１５／ＡｍＫＨｚのサブキャリア間隔を有し、１≦ｍ≦Ｍであり、ｍ、Ｍ、およびＡｍのそれぞれは、正の整数である。
【００７５】
本実施形態では、Ａｍ＝２であるとき、サブキャリア間隔は、７．５ＫＨｚであり、ＯＦＤＭシンボルは、スロット内の第３のＯＦＤＭシンボルおよび第４のＯＦＤＭシンボルまたはスロット内の最後の２つのＯＦＤＭシンボルのうちの１つを含む、２つの連続ＯＦＤＭシンボルである。Ａｍ＝４であるとき、サブキャリア間隔は、３．７５ＫＨｚであり、ＯＦＤＭシンボルは、４つの連続ＯＦＤＭシンボルである。
【００７６】
随意に、スタンドアロンシナリオでは、基準信号は、同期信号が位置する、１つ以上のサブフレーム内の同期信号に対応するＯＦＤＭシンボルを経由して受信されない。代替として、スタンドアロンシナリオでは、基準信号は、同期信号が位置する、１つ以上のサブフレーム内の最初のｑのＯＦＤＭシンボルを経由してのみ受信され、ｑは、正の整数である。
【００７７】
本実施形態では、１つの繰り返し周期では、同期信号は、セル識別および／またはタイミング情報に基づいて生成される複数のシーケンスを含む。
【００７８】
本実施形態では、１つの繰り返し周期では、複数のシーケンスを含む同期信号は、１つの繰り返し周期に、それぞれのＯＦＤＭシンボルが１つのシーケンスに対応して同期信号内に含まれ、または１つの繰り返し周期に、複数のＯＦＤＭシンボルが、１つのシーケンスに対応して同期信号内に含まれ、かつＯＦＤＭシンボルのそれぞれが、シーケンスのサブシーケンスに対応し、または１つの繰り返し周期における複数のサブフレームでは、複数のサブフレームのそれぞれが１つのシーケンスに対応することを含む。
【００７９】
本実施形態では、１つの繰り返し周期では、同期信号内に含まれるそれぞれのＯＦＤＭシンボルは、１つのシーケンスに対応する。
【００８０】
本実施形態では、同期信号内に含まれるそれぞれのＯＦＤＭシンボルは、１１の長さを有するＺＣシーケンスに対応する。同期信号は、１２のサブキャリアを含むキャリアに対応する。
【００８１】
本実施形態では、同期信号内に含まれる、それぞれのＯＦＤＭシンボルまたは複数のＯＦＤＭシンボルが、シーケンスに対応するとき、シーケンスは、シーケンスに対応するＯＦＤＭシンボルに基づいて判定される。
【００８２】
本実施形態では、同期信号が時間ドメインにおいて１つ以上のサブフレーム内の複数のＯＦＤＭシンボルに対応して経時的に受信されることは、同期信号がｍのＯＦＤＭシンボルに対応して経時的に受信されることを含み、ｍ∈｛５，６，７，８，１０，１２｝である。
【００８３】
本実施形態では、複数のＯＦＤＭシンボルに対応する時間は、それぞれが１つのシーケンスに対応する、２つの部分を含む。２つの部分は、時間順に分割される。代替として、２つの部分は、奇数のインデックスを有するＯＦＤＭシンボルに対応する時間と、偶数のインデックスを有するＯＦＤＭシンボルに対応する時間とを含む。インデックスは、時間順に０から開始するように同期信号に対応するＯＦＤＭシンボルを再付番することによって判定される。
【００８４】
本実施形態では、同期信号に対応するＯＦＤＭシンボル上では、セル特有の基準信号（ＣＲＳ）を受信するために使用されないサブキャリアに関して、同期信号は、ｙ（ｋ）＝ｘ（ｋ）・ｃであり、ｃ＝ｓ（ｋ０）／ｘ（ｋ０）であり、ｋ０は、シンボル上の所定のリソース要素（ＲＥ）内のＣＲＳに関するサブキャリアインデックスであり、ｘ（ｋ０）は、サブキャリア＃ｋ０に対応するＰＳＳまたはＳＳＳシーケンスの値であり、ｓ（ｋ０）は、サブキャリア＃ｋ０に対応するＣＲＳシンボル値である。
【００８５】
本実施形態では、同期信号の位置は、セル識別と、同期信号に対応する、周波数ドメイン位置、ＰＲＢインデックス、または周波数オフセットとのうちの少なくとも１つから判定される。
【００８６】
本実施形態では、同期信号は、セル識別がＸであるとき、同期信号が位置する、ＰＲＢの最後のＮのサブキャリア内に、またはセル識別がＹであるとき、同期信号が位置する、ＰＲＢの最初のＮのサブキャリア内に位置し、Ｎは、正の整数である。
【００８７】
本実施形態では、セル識別Ｘは、ｍｏｄ（Ｘ、３）＝０を満たし、セル識別Ｙは、ｍｏｄ（Ｙ、３）≠０を満たす。代替として、セル識別Ｙは、ｍｏｄ（Ｙ、３）＝２を満たし、セル識別Ｘは、ｍｏｄ（Ｘ、３）≠２を満たす。代替として、セル識別Ｘは、ｍｏｄ（Ｘ、６）＝０を満たし、セル識別Ｙは、ｍｏｄ（Ｙ、６）≠０を満たす。代替として、セル識別Ｙは、ｍｏｄ（Ｙ、６）＝５を満たし、セル識別Ｘは、ｍｏｄ（Ｘ、６）≠５を満たす。
【００８８】
本実施形態では、同期信号内に含まれるそれぞれのＯＦＤＭシンボルが、１つのシーケンスに対応するとき、シーケンスは、１１の長さを有する、ＺＣシーケンス
【化１】
0006586520.tif 000004
である。異なるルートインデックスは、近隣ＯＦＤＭシンボル上で使用され、ｎは、シーケンス値のインデックスを示し、ｕは、ＺＣシーケンスのルートインデックスを示し、Ｎは、ＺＣシーケンスの長さを示し、Ｎ＝１１である。
【００８９】
本実施形態では、ＺＣシーケンスに関するルートインデックスは、第１のグループが、ｕ＝｛５，６，４，７，３，８｝を有するＺＣシーケンスを含み、第２のグループが、ｕ＝｛２，９｝を有するＺＣシーケンスを含み、第３のグループが、ｕ＝｛１，１０｝を有するＺＣシーケンスを含む、第１のスキームと、第１のグループが、ｕ＝｛１，１０，２，９，３，８｝を有するＺＣシーケンスを含み、第２のグループが、ｕ＝｛４，７｝を有するＺＣシーケンスを含み、第３のグループが、ｕ＝｛５，６｝を有するＺＣシーケンスを含む、第２のスキームとのうちの少なくとも１つに従ってグループに分割される。第２のグループ内のシーケンスおよび第３のグループ内のシーケンスは、相互交換可能である。
【００９０】
本実施形態では、ＺＣシーケンスの第１のグループは、最初のＯＦＤＭシンボル上にマップされ、ＺＣシーケンスの第２のグループは、第２のＯＦＤＭシンボル上にマップされ、ＺＣシーケンスの第３のグループは、第３のＯＦＤＭシンボル上にマップされる。最初のＯＦＤＭシンボルは、各サブフレーム内に｛５，６，９，１０，１２，１３｝のＯＦＤＭシンボルインデックスを有するシンボルを含み、第２のＯＦＤＭシンボルは、各サブフレーム内に｛３，４｝のＯＦＤＭシンボルインデックスを有するシンボルを含み、第３のＯＦＤＭシンボルは、各サブフレーム内に｛７，８｝のＯＦＤＭシンボルインデックスを有するシンボルを含む。サブフレーム内のシンボルインデックスは、０から開始する。
【００９１】
本実施形態では、同期信号は、サブフレーム内の最後であるが、２つのＯＦＤＭシンボル上において、サブフレーム内の最後のＯＦＤＭシンボル上で使用されるＺＣシーケンス、または第２のスロットの最初のＯＦＤＭシンボル上で使用されるＺＣシーケンス、または第１のスロットの最後のＯＦＤＭシンボル上で使用されるＺＣシーケンス、またはサブフレーム内の最初のＯＦＤＭシンボル上で同期信号によって使用されるＺＣシーケンスと同一ＺＣシーケンスを使用する。
【００９２】
本実施形態では、通常巡回プレフィックス（ＣＰ）に関して、同期信号内に含まれるＯＦＤＭシンボルに対応するシーケンスのルートインデックスは、時間順に、
｛１，２，３，４，５，６，７，８，９，１０，１｝
｛１，２，３，４，５，１，６，７，８，９，１０｝
｛１，１０，２，９，３，５，８，４，７，５，６｝
｛１，１０，２，９，３，８，４，７，６，５，６｝
｛２，９，５，６，１，１０，４，７，３，８，３｝
｛２，９，３，８，１，１０，４，７，５，６，５｝
のうちの１つである。
【００９３】
本実施形態では、拡張巡回プレフィックス（ＣＰ）に関して、同期信号内に含まれるＯＦＤＭシンボルに対応するシーケンスのルートインデックスは、時間順に、
｛１，２，３，４，５，６，７，８，９｝
｛１，２，３，４，５，７，８，９，１０｝
｛１，１０，２，９，３，４，７，５，６｝
｛１，１０，２，９，３，８，４，７，６｝
｛１，５，６，２，９，３，８，４，７｝
｛１，４，７，２，９，３，８，５，６｝
のうちの１つである。
【００９４】
本開示のある実施形態によると、同期信号の伝送のための装置もまた、提供される。本装置は、前述の実施形態を実装することができ、好ましくは、実施形態およびその詳細は、ここでは省略されるものとする。本明細書の以降で使用されるように、用語「モジュール」は、所定の機能を行うことが可能なソフトウェア、ハードウェア、またはそれらの組み合わせであることができる。以下の実施形態に説明されるような装置は、好ましくは、ソフトウェア内に実装され、ハードウェアまたはソフトウェアおよびハードウェアの組み合わせにも実装され得ることが検討され得る。
【００９５】
図３は、本開示のある実施形態による、同期信号の伝送のための装置の構造を示す、第１のブロック図である。本装置は、基地局側に位置することができる。図３に示されるように、装置は、
同期信号を取得するように構成される、取得モジュール３２と、
同期信号を繰り返しかつ周期的に端末に伝送するように構成される、伝送モジュール３４と
を含む。
【００９６】
１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。
【００９７】
前述の装置を用いて、取得モジュール３２は、同期信号を取得するように構成され、伝送モジュール３４は、同期信号を繰り返しかつ周期的に端末に伝送するように構成される。１つの繰り返し周期では、同期信号は、１つ以上のサブフレーム内の複数のＯＦＤＭシンボルに対応して、経時的に伝送される。同期信号は、ＰＳＳまたはＳＳＳである。このように、ＮＢ−ＬＴＥシステムにおける同期信号の不適切な設計と関連付けられた問題は、解決されることができ、狭帯域システムにおける同期信号の適切な伝送が、達成されることができる。
【００９８】
装置内の同期信号の伝送のためのソリューションは、前述の実施形態に関連して説明されるものと同一である。
【００９９】
本実施形態では、取得モジュール３２は、随意である。本実施形態のソリューションは、伝送モジュール３４のみを含むことができる。
【０１００】
図４は、本開示のある実施形態による、同期信号の伝送のための装置の構造を示す、第２のブロック図である。本装置は、端末側に位置することができる。図４に示されるように、装置は、
基地局から伝送される同期信号を繰り返しかつ周期的に受信するように構成される、受信モジュール４２と、
同期信号を判定するように構成される、判定モジュール４４と
を含む。
【０１０１】
１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。
【０１０２】
前述の装置を用いて、受信モジュール４２は、基地局から伝送される同期信号を繰り返しかつ周期的に受信するように構成され、判定モジュール４４は、同期信号を判定するように構成される。１つの繰り返し周期では、同期信号は、１つ以上のサブフレーム内の複数のＯＦＤＭシンボルに対応して、経時的に伝送される。同期信号は、ＰＳＳまたはＳＳＳである。このように、ＮＢ−ＬＴＥシステムにおける同期信号の不適切な設計と関連付けられた問題は、解決されることができ、狭帯域システムにおける同期信号の適切な伝送が、達成されることができる。
【０１０３】
本装置内の同期信号の伝送のためのソリューションは、前述の実施形態に関連して説明されるものと同一である。
【０１０４】
本実施形態では、判定モジュール４４は、随意である。本実施形態のソリューションは、受信モジュール４２のみを含むことができる。
【０１０５】
以下では、本開示は、好ましい実施形態および実装を参照して詳細に説明されるであろう。
【０１０６】
好ましい実施形態１
本好ましい実施形態では、同期信号の伝送のための方法が、提供される。同期信号は、一次同期信号（ＰＳＳ）または二次同期信号（ＳＳＳ）である。
【０１０７】
同期信号は、繰り返しかつ周期的に伝送される。例えば、繰り返し周期は、２０ｍｓ、４０ｍｓ、６０ｍｓ、または８０ｍｓであることができる。ＰＳＳおよびＳＳＳは、同一繰り返し周期を有してもよく、またはそうではなくてもよい。例えば、ＰＳＳは、８０ｍｓの伝送周期を有することができ、１つ以上のサブフレーム内で伝送されることができ、ＳＳＳは、２０ｍｓの伝送周期を有することができ、１つ以上のサブフレーム内で伝送されることができる。８０ｍｓのタイミングは、ＰＳＳを受信することによって得られることができる。
【０１０８】
伝送周期は、均一ではなくてもよい。例えば、ＰＳＳは、ｋ１の連続無線フレーム内にあり、Ｔ１の無線フレームの周期で伝送されることができ、Ｔ１≧ｋ１であり、ＳＳＳは、Ｔ２の無線フレームの周期で伝送されることができる。ここでは、Ｔ１＞ｋ１であるとき、ＰＳＳは、非均一周期で伝送されると見なされ得る。代替として、ＰＳＳは、Ｔ３の無線フレームの周期で伝送されることができ、ＳＳＳは、ｋ２の連続無線フレーム内にあり、Ｔ４の無線フレームの周期で伝送されることができ、Ｔ４≧ｋ２である。代替として、ＰＳＳおよびＳＳＳは、ｋ３の連続無線フレーム内にあり、Ｔ５の無線フレームの周期で伝送され、Ｔ５≧ｋ３である。ここでは、ｋ１、ｋ２、ｋ３、Ｔ１、Ｔ２、Ｔ３、Ｔ４、およびＴ５のそれぞれは、正の整数である。例えば、８０ｍｓの大伝送周期が存在し得、ＰＳＳまたはＳＳＳは、８０ｍｓの最初の４０ｍｓ以内に伝送されることができる。最初の４０ｍｓでは、ＰＳＳまたはＳＳＳは、１０ｍｓ毎に伝送されることができるが、最後の４０ｍｓでは伝送されない。ＵＥは、システムフレーム数に関するインジケーションビットの数をＭＩＢ内に保存し得る、その大周期に基づいて、８０ｍｓのタイミングを取得することができる。
【０１０９】
１つの繰り返し周期では、ＰＳＳ／ＳＳＳによって占有されるリソースは、以下の通りである。
【０１１０】
１つの繰り返し周期では、ＰＳＳ／ＳＳＳは、１つ以上のサブフレームを占有することができる。ＰＳＳ／ＳＳＳは、連続または非連続サブフレーム内で伝送されることができる。伝送のためのサブフレームが、その中で伝送される物理マルチキャストチャネル（ＰＢＣＨ）を伴う、マルチメディアブロードキャストマルチキャストサービス単一周波数ネットワーク（ＭＢＳＦＮ）サブフレームである場合、ＰＳＳ／ＳＳＳ情報は、パンクチャ処理するであろう。代替として、ＰＳＳ／ＳＳＳの伝送のためのサブフレームは、ＭＢＳＦＮサブフレームとの競合が回避され得るように、サブフレーム０、４、５、および９から選択されることができる。
【０１１１】
好ましくは、ＰＳＳ／ＳＳＳは、無線フレーム内のサブフレーム４および５に、または無線フレーム内のサブフレーム９および次の無線フレーム内のサブフレーム０に位置することができる。
【０１１２】
１つの繰り返し周期では、ＰＳＳ／ＳＳＳは、時間ドメインにおいてＯＦＤＭシンボルのうちのいくつかを占有することができる。ここでは、ＯＦＤＭシンボルは、ＬＴＥに現在定義されているシンボルである。例えば、通常ＣＰに関して、１ｍｓのサブフレームは、それぞれ０．５ｍｓの２つのスロットに分割されることができる。２つのスロットは、０および１のインデックスを有し、それぞれが、第１のスロットおよび第２のスロットと称されることができる。各スロットは、０〜６までインデックス化された７つのシンボルを含有し、これは、第１のシンボル、第２のシンボル、．．．、第７のシンボルと称されることができる。拡張ＣＰに関して、１ｍｓのサブフレームはまた、それぞれ０．５ｍｓの２つのスロットに分割されることができる。２つのスロットは、０および１のインデックスを有し、それぞれが、第１のスロットおよび第２のスロットと称されることができる。各スロットは、０〜５にインデックス化された６つのシンボルを含有し、これは、第１のシンボル、第２のシンボル、．．．、第６のシンボルと称されることができる。ＰＳＳ／ＳＳＳの伝送のためのＯＦＤＭシンボルとの任意の混同を回避するために、本開示の実施形態では、本ＯＦＤＭシンボルは、基準シンボルと称されるであろう。
【０１１３】
ＰＳＳ／ＳＳＳは、連続基準シンボルまたはＣＲＳの伝送のために使用されない基準シンボルを占有することができる。図５は、本開示の好ましい実施形態による、ＰＳＳ／ＳＳＳによって占有される連続基準シンボルを示す、概略図である。図６は、本開示の好ましい実施形態による、ＰＳＳ／ＳＳＳによって占有される非連続基準シンボルを示す、概略図である。図５および図６に示されるように、２つの基準シンボルがＰＳＳ／ＳＳＳによって占有される、２つの実施例が、与えられ、図５は、連続占有を示し、図６は、非連続占有を示す。
【０１１４】
好ましくは、同期信号を伝送するための基準シンボルは、各スロット内の第３および第４の基準シンボルおよび最後の２つの基準シンボルを含む、セットから選択されることができる。偶数のインデックスを有するスロット内の第３のシンボルは、典型的には、ＰＤＣＣＨ伝送のために使用されるため、そのようなシンボルは、好ましくは、含まれない。さらに、拡張ＣＰに関して、各スロット内の第４のシンボルは、ＣＲＳであり、そのようなシンボルは、好ましくは、含まれない。
【０１１５】
好ましくは、同期信号の伝送のための基準シンボルの数は、５、６、および７のうちの１つであることができる。
【０１１６】
代替として、同期信号の伝送のための基準シンボルの数は、８、１０、および１２のうちの１つであることができる。好ましくは、同期信号は、ＭＢＳＦＮサブフレーム上で伝送されることができる。代替として、スタンドアロンシナリオでは、サブフレーム内で伝送されることができる。
【０１１７】
随意に、ＰＳＳ／ＳＳＳが、基準信号の時間−周波数リソースを占有する場合、基準信号は、ＰＳＳ／ＳＳＳのシンボルをパンクチャ処理するものとする。基準信号は、ＣＲＳ、ＣＳＩ−ＲＳ、ＰＲＳ、ＤＭＲＳ、または同等物を含んでもよい。
【０１１８】
ＰＳＳおよびＳＳＳは、同一数のシンボルを占有してもよく、またはそうではなくてもよい。ＰＳＳおよびＳＳＳは、同一数のサブフレームを占有してもよく、またはそうではなくてもよい。例えば、ＰＳＳは、１つのサブフレームを占有することができ、ＳＳＳは、２つのサブフレームを占有することができる。
【０１１９】
随意に、スタンドアロンシナリオ、すなわち、ＰＳＳが位置するサブフレーム内で周波数帯域をＬＴＥ旧来のＵＥと共有しないシナリオでは、ＣＲＳは、同期信号が位置する基準シンボル上で伝送されない。実施例として、通常ＣＰに関して、それぞれが、０−１３のインデックスを有する、合計１４の基準シンボルが存在する。同期信号は、基準シンボル＃５−１３を占有し、したがって、ＣＲＳは、基準シンボル＃５−１３上で伝送されない。代替として、スタンドアロンシナリオに関して、同期信号が位置するサブフレーム内では、基準信号は、最初のｑの基準シンボル内でのみ伝送され、ｑは、所定の正の整数である。好ましくは、ｑ＝１または２である。
【０１２０】
前述は、ＰＳＳ／ＳＳＳが伝送され得る、基準シンボルに関して説明した。以下では、これらの基準シンボル内でＰＳＳ／ＳＳＳが伝送される形態が、説明されるであろう。
【０１２１】
１つの繰り返し周期では、ＰＳＳ／ＳＳＳの信号形態は、以下の通りとなり得る。
【０１２２】
１つの繰り返し周期では、ＰＳＳ／ＳＳＳは、ＭのＯＦＤＭシンボルを含み、ｍ番目のＯＦＤＭシンボルは、１５／ＡｍＫＨｚのサブキャリア間隔を有し、１≦ｍ≦Ｍであり、Ａｍは、正の整数である（例えば、Ａｍ＝１、２、３、４、５、６）。ここでは、ＰＳＳ／ＳＳＳの伝送のためのサブキャリア間隔は、１５ＫＨｚより小さく、すなわち、ＬＴＥにおける従来のサブキャリア間隔と異なり得る。
【０１２３】
ＭのＯＦＤＭシンボルは、同一サブキャリア間隔を有してもよく、またはそうではなくてもよい。例えば、ＰＳＳ／ＳＳＳは、合計２つのＯＦＤＭシンボルを含むことができる。最初のＯＦＤＭシンボルは、１５ＫＨｚのサブキャリア間隔を有してもよく、第１のスロット内の基準シンボル＃４上で伝送されてもよい。第２のＯＦＤＭシンボルは、７．５ＫＨｚのサブキャリア間隔を有してもよく、第１のスロット内の基準シンボル＃５および＃６上で伝送されてもよい。
【０１２４】
Ａｍ＝１であるとき、サブキャリア間隔は、１５ＫＨｚであり、ＯＦＤＭシンボルは、１つの基準シンボルに対応する。
【０１２５】
Ａｍ＝２であるとき、サブキャリア間隔は、７．５ＫＨｚであり、ＯＦＤＭシンボルは、２つの連続基準シンボルに対応する。すなわち、サブキャリア間隔７．５ＫＨｚを有する、ＯＦＤＭシンボルのうちの１つは、２つの連続基準シンボルの持続時間内で伝送される。好ましくは、２つの連続ＯＦＤＭシンボルは、各スロット内の第３のＯＦＤＭシンボルおよび第４のＯＦＤＭシンボルまたは各スロット内の最後の２つのＯＦＤＭシンボルのうちの１つである。偶数のインデックスを有するスロット内の第３のシンボルは、典型的には、ＰＤＣＣＨ伝送のために使用されるため、偶数のインデックスを有するスロット内の第３および第４のシンボルは、使用されないものとする。さらに、拡張ＣＰに関して、各スロット内の第４のシンボルは、ＣＲＳを含有し、ＯＦＤＭシンボルは、各スロット内の最後の２つのシンボルのみに対応する。
【０１２６】
Ａｍ＝４であるとき、サブキャリア間隔は、３．７５ＫＨｚであり、ＯＦＤＭシンボルは、４つの連続基準シンボルに対応する。好ましくは、ＯＦＤＭシンボルは、ＭＢＳＦＮサブフレームを経由して伝送される。
【０１２７】
１つの繰り返し周期では、同期信号は、セル識別および／またはタイミング情報に基づいて生成される複数のシーケンスを含む。生成方法の詳細は、後述されるであろう。
【０１２８】
ＯＦＤＭシンボルとシーケンスとの間には、以下のようないくつかの対応がある。
ａ）１つの繰り返し周期では、ＰＳＳ／ＳＳＳ内に含まれるそれぞれのＯＦＤＭシンボルは、１つの完全なシーケンスに対応する。例えば、１つの繰り返し周期では、ＰＳＳ／ＳＳＳは、それぞれが、１つの完全なシーケンスに対応する、４つのＯＦＤＭシンボルを含む。
ｂ）代替として、１つの繰り返し周期では、同期信号内に含まれる複数のＯＦＤＭシンボルは、１つの完全なシーケンスに対応する。ＯＦＤＭシンボルはそれぞれ、完全なシーケンスのサブシーケンスに対応する。例えば、１つの繰り返し周期では、ＰＳＳ／ＳＳＳは、８つのＯＦＤＭシンボルを含む。４つのシンボルは、１つの完全なシーケンスに対応し、これは、それぞれが１つのシンボルに対応する４つのセグメントに分割されることができる。
ｃ）代替として、１つの繰り返し周期における複数のサブフレームでは、複数のサブフレームはそれぞれ、１つのシーケンスに対応する。
【０１２９】
１つの繰り返し周期では、ＰＳＳ／ＳＳＳによって占有されるリソースとシーケンスとの間のマッピング関係は、以下のようになり得る。
【０１３０】
同期信号が、５、６、または７つの基準シンボルに対応して、経時的に伝送されるとき、基準シンボルに対応する時間は、それぞれが１つの完全なシーケンスに対応する、２つの部分に分割されることができる。
【０１３１】
２つの部分は、時間順に分割されることができる。例えば、同期信号が、５つの基準シンボルに対応して、経時的に伝送されるとき、一方の部分は、最初の３つの基準シンボルに対応する時間を含んでもよく、他方の部分は、残りの２つの基準シンボルに対応する時間を含んでもよい。代替として、一方の部分は、偶数のインデックスを有するスロット内の基準シンボルを含んでもよい一方、他方の部分は、奇数のインデックスを有するスロット内の基準シンボルを含んでもよい。同期信号が、５または７つの基準シンボルに対応して、経時的に伝送される場合、各シーケンスは、基準シンボルの中央のものにおいて周波数ドメインにおける一部を占有してもよい。
【０１３２】
代替として、２つの部分は、奇数のインデックスを有するＯＦＤＭシンボルに対応する時間と、偶数のインデックスを有するＯＦＤＭシンボルに対応する時間とを含む。インデックスは、時間順に０から、同期信号に対応するＯＦＤＭシンボルを再付番することによって判定される。例えば、同期信号が、０−５のインデックスを有する６つの基準シンボルに対応して、経時的に伝送されるとき、それぞれ、一方の部分は、基準シンボル＃０、２、および４を含んでもよく、他方の部分は、残りのシンボルを含んでもよい。
【０１３３】
代替として、２つの部分のうちの一方は、ＣＲＳが位置する基準シンボルを含んでもよく、他方は、残りの基準シンボルを含んでもよい。すなわち、一方の部分は、第１、第２、および最後のうちの１つ以上であるが、各スロット内の２つのシンボルを含んでもよく、他方の部分は、残りの基準シンボルのうちの１つ以上を含んでもよい。
【０１３４】
好ましい実施形態２
本実施形態では、ＰＳＳの伝送のための方法が、提供される。
【０１３５】
１つの繰り返し周期では、ＰＳＳは、１つ以上のサブフレームを占有することができる。好ましくは、ＰＳＳは、無線フレーム内のサブフレーム４および５に、または無線フレーム内のサブフレーム９および次の無線フレーム内のサブフレーム０に位置することができる。
【０１３６】
１つの繰り返し周期では、ＰＳＳは、１つ以上のサブフレーム内の複数の基準シンボルに位置することができる。例えば、１つの繰り返し周期では、ＰＳＳは、１つのサブフレーム内でｎ（ｎ＞１）の基準シンボルを占有することができる。代替として、１つの繰り返し周期では、ＰＳＳは、複数のサブフレームを占有することができ、サブフレームのそれぞれでは、ＰＳＳは、１つ以上の基準シンボルを占有してもよい。ＰＳＳによって占有される基準シンボルの数は、これらのサブフレーム内で同一であってもよく、またはそうではなくてもよい。例えば、通常ＣＰに関して、ＰＤＣＣＨのために使用され得る、最初の３つの基準シンボル以外、１つのサブフレーム内でＰＳＳのために利用可能な基準シンボルは、偶数のインデックスを有するスロット内の基準シンボル３、５、および６と、奇数のインデックスを有するスロット内の基準シンボル２、３、５、および６とを含む。拡張ＣＰに関して、ＰＤＣＣＨのために使用され得る、最初の３つの基準シンボル以外、１つのサブフレーム内でＰＳＳのために利用可能な基準シンボルは、偶数のインデックスを有するスロット内の基準シンボル２、４、および５と、奇数のインデックスを有するスロット内の基準シンボル２、３、５、および６とを含む。ＣＲＳからの干渉がない場合、改良された同期性能が、達成されることができる。代替として、ＰＳＳは、ＣＲＳが位置する基準シンボル内に位置することができる。ＣＲＳを伝送するための位置では、ＰＳＳシンボルは、ＣＲＳの伝送のためにパンクチャ処理されるであろう。
【０１３７】
随意に、ｅＮＢは、ＣＲＳからの同期チャネルとの干渉を低減させるように、ＰＳＳをＭＢＳＦＮサブフレームとして伝送するために、サブフレームを構成することができる。
【０１３８】
実施形態１におけるように、１つの繰り返し周期では、ＰＳＳは、ＭのＯＦＤＭシンボルを含み、ｍ番目のＯＦＤＭシンボルは、１５／ＡｍＫＨｚのサブキャリア間隔を有し、１≦ｍ≦Ｍであり、Ａｍは、正の整数（例えば、Ａｍ＝１、２、３、４、５、６）である。ＯＦＤＭシンボルのうちの１つ以上は、ＺＣシーケンス、Ｍシーケンス、またはウォッシュシーケンスであり得る、１つのシーケンスに対応する。本実施形態は、これらのシーケンスのいずれかに限定されない。
【０１３９】
ＰＳＳが、１８０ＫＨｚの帯域幅を有し、各サブキャリアが、１５ＫＨｚの幅を有すると仮定すると、合計１２のサブキャリアが存在し得る。この場合、ＺＣシーケンスは、１１、１２、または１３の長さを有する（この場合、１つのシンボルは、所定のルールに従ってパンクチャ処理されることになり、１２の長さを有するシーケンスを得る）。実際は、長さは、前述の値のいずれかに限定されない。代替として、各サブキャリアは、７．５ＫＨｚの幅を有し、合計２４のサブキャリアをもたらしてもよい。この場合、ＺＣシーケンスは、１３、１４、または２５の長さを有する（この場合、１つのシンボルは、所定のルールに従ってパンクチャ処理されることになり、２４の長さを有するシーケンスを得る）。実際は、長さは、前述の値のいずれかに限定されない。好ましくは、ＺＣシーケンスが、周波数ドメイン内で生成されるとき、ＤＣ位置に対応するシンボルは、パンクチャ処理されることになる。例えば、シーケンスが、１１の長さを有するとき、中央におけるシンボルは、パンクチャ処理されるであろう。
【０１４０】
ＰＳＳのＯＦＤＭシンボルに対応するシーケンスは、同一であってもよく、またはそうではなくてもよい。
【０１４１】
随意に、ＰＳＳは、シーケンスと、その共役とを含む。
【０１４２】
例えば、ＰＳＳが、１つのサブフレーム内に８つのシンボルを占有する場合、最初の４シンボルはそれぞれ、シーケンスｓに対応し、最後の４つのシンボルはそれぞれ、ｓの共役である、シーケンスに対応する。
【０１４３】
代替として、最初の４つのシンボルは、例えば、４７の長さを有する長シーケンスに対応し、最後の４つのシンボルもまた、４７の長さを有し、長シーケンスの共役に対応する。
【０１４４】
ＰＳＳのための伝送シーケンスは、全てのセルに関して同一であることができる。すなわち、ＰＳＳは、任意の他の情報を搬送せずに、タイミングのためだけに使用される。代替として、ＰＳＳは、いくつかの情報を搬送してもよい。
【０１４５】
ＰＳＳは、セル識別情報の一部、例えば、
【化２】
0006586520.tif 000005
を示すために使用されることができ、
【化３】
0006586520.tif 000006
は、セル識別であり、
【化４】
0006586520.tif 000007
は、０〜１６７に及ぶ値であり、
【化５】
0006586520.tif 000008
は、０〜２に及ぶ値である。
【０１４６】
例えば、
【化５】
0006586520.tif 000009
は、３つの異なるＺＣシーケンス、すなわち、ＺＣ１、ＺＣ２、およびＺＣ３によって表されることができる。
【化５】
0006586520.tif 000010
＝ｉに関して、ＰＳＳを伝送するためのｎのシンボルはそれぞれ、ＺＣｉを搬送する。３つの異なるＺＣシーケンスは、異なるルートシーケンス、または同一もしくは部分的に同一のルートシーケンスであるが、異なる巡回シフトを有する。
【０１４７】
代替として、
【化５】
0006586520.tif 000011
は、シーケンスの異なる順序によって表されることができる。例えば、ＰＳＳは、９つのシンボルを経由して伝送され、９つのシンボルのうち３つずつが、同一シーケンスに対応すると仮定する。故に、３つのシーケンス、すなわち、ＺＣ１、ＺＣ２、およびＺＣ３が存在する。例えば、
【化５】
0006586520.tif 000012
＝０である場合、９つのシンボルに対応するシーケンスは、ＺＣ１（最初の３つのシンボル）、ＺＣ２（中央の３つのシンボル）、およびＺＣ３（最後の３つのシンボル）の順序である。
【化５】
0006586520.tif 000013
＝１である場合、９つのシンボルに対応するシーケンスは、ＺＣ２（最初の３つのシンボル）、ＺＣ３（中央の３つのシンボル）、およびＺＣ１（最後の３つのシンボル）の順序である。
【化５】
0006586520.tif 000014
＝１である場合、９つのシンボルに対応するシーケンスは、ＺＣ３（最初の３つのシンボル）、ＺＣ１（中央の３つのシンボル）、およびＺＣ２（最後の３つのシンボル）の順序である。
【０１４８】
好ましい実施形態３
本実施形態では、ＳＳＳの伝送のための方法が、提供される。
【０１４９】
ＳＳＳは、例えば、２０ｍｓ、４０ｍｓ、または６０ｍｓの繰り返し周期で繰り返し伝送される。実際は、周期は、これらの値のいずれかに限定されない。
【０１５０】
１つの繰り返し周期では、ＳＳＳは、複数の基準シンボル、例えば、ＣＲＳを含有しない基準シンボル内に位置することができる。例えば、通常ＣＰに関して、ＰＤＣＣＨのために使用され得る、最初の３つの基準シンボル以外、１つのサブフレーム内でＳＳＳのために利用可能な基準シンボルは、偶数のインデックスを有するスロット内の基準シンボル３、５、および６と、奇数のインデックスを有するスロット内の基準シンボル２、３、５、および６とを含む。拡張ＣＰに関して、ＰＤＣＣＨのために使用され得る、最初の３つの基準シンボル以外、１つのサブフレーム内でＳＳＳのために利用可能な基準シンボルは、偶数のインデックスを有するスロット内の基準シンボル２、４、および５と、奇数のインデックスを有するスロット内の基準シンボル２、３、５、および６とを含む。ＣＲＳからの干渉を伴わない場合、改良された同期性能が、達成されることができる。代替として、ＳＳＳは、ＣＲＳが位置する基準シンボル内に位置することができる。ＣＲＳを伝送するための位置では、ＳＳＳシンボルは、ＣＲＳの伝送のためにパンクチャ処理されるであろう。
【０１５１】
実施形態１におけるように、１つの繰り返し周期では、ＳＳＳは、ＭのＯＦＤＭシンボルを含み、ｍ番目のＯＦＤＭシンボルは、１５／ＡｍＫＨｚのサブキャリア間隔を有し、１≦ｍ≦Ｍであり、Ａｍは、正の整数（例えば、Ａｍ＝１、２、３、４、５、６）である。ＯＦＤＭシンボルのそれぞれ上のＰＳＳは、１つのシーケンスに対応し、これは、ＺＣシーケンス、Ｍシーケンス、またはウォッシュシーケンスであることができる。本実施形態は、これらのシーケンスのいずれかに限定されない。
【０１５２】
一般性を失うことなく、本実施形態では、ＰＳＳは、ＬＴＥと同一サブキャリア間隔、すなわち、１５ＫＨｚを有すると仮定される。実際は、本実施形態は、本具体的サブキャリア間隔に限定されない。
【０１５３】
ＳＳＳは、ＭのＯＦＤＭシンボルを経由して伝送されると仮定すると、一般性を失うことなく、各シンボルは、ＺＣシーケンスまたはｍシーケンスであり得る、１つのシーケンスを搬送すると仮定される。好ましくは、ＺＣシーケンスが、選択された。実際は、複数のＯＦＤＭシンボルが、１つのシーケンスに対応してもよい。本開示は、これに限定されない。
【０１５４】
例えば、ＳＳＳは、１つのサブフレーム内で６つのＯＦＤＭシンボルを経由して伝送され、したがって、６つのＺＣシーケンスに対応し、または２つの連続サブフレーム内で１２のＯＦＤＭシンボルを経由して伝送され、したがって、１２のＺＣシーケンスに対応する。実際は、本実施形態は、これらの値に限定されない。ＭのＺＣシーケンスは、異なるセル識別情報およびタイミング情報を示すために使用されることができる。ここでは、タイミング情報が、実施例として説明されるであろう。例えば、ＺＣシーケンスが、２０ｍｓの周期で伝送されるとき、タイミング情報は、例えば、２ビットを使用して、８０ｍｓのうちの現在の２０ｍｓの位置情報を示すことができる。このように、ＳＳＳの受信に応じて、ＵＥは、８０ｍｓのタイミングを取得することができる。
【０１５５】
ＬＴＥでは、セル識別は、０〜５０３に及ぶ値を有する。セル識別全体が、ＳＳＳによって示されるべき場合、９ビットが、必要とされるであろう。タイミングに関する付加的２ビット情報を用いると、ＳＳＳは、合計１１ビットの情報を示す必要がある。
【０１５６】
情報を搬送するためのＺＣシーケンスに関するいくつかのスキームが、以下に与えられるであろう。
【０１５７】
１．情報は、シンボルを経由して、シーケンスの組み合わせによって搬送されることができる。
【０１５８】
ＭのＯＦＤＭシンボルは、それぞれ、Ｍのシーケンスに対応し、これは、一般性を失うことなく、以下のように６つのＺＣシーケンスであると仮定される。
【化６】
0006586520.tif 000015
式中、Ｎｚｃ＝１１は、ＺＣシーケンスの長さであり、ｕｉ∈｛１，２，．．．，Ｎｚｃ−１｝は、ｉ番目のシンボル上のＺＣシーケンスのルートシーケンスのインデックスである。
【０１５９】
故に、（ｕ１，ｕ２，．．．，，ｕ６）の組み合わせは、セル識別および／またはタイミング情報を示すことができる。
【０１６０】
セル識別が、１１の長さを有するＺＣシーケンスに対応すると仮定すると、１０のＺＣルートシーケンスが存在する。故に、（ｕ１，ｕ２，．．．，，ｕ６）の組み合わせは、１１ビットの情報を示すために十分である。随意に、ｕｉのセットは、セット｛１，２，．．．，Ｎｚｃ−１｝のサブセットであることができる。
【０１６１】
実施例が、インジケーションが提供される方法を説明するためにここに与えられる。例えば、ＳＳＳは、セル識別情報を示すためだけに使用される。ＳＳＳは、６つのＺＣシーケンスを含む。ｕｉのセット内には、３つのルートシーケンスインデックスが存在し、これは、それぞれ、０、１、および２のインデックスを有するように再付番される。次いで、６つのＺＣシーケンスは、３６（すなわち、７２９）の状態を示すために使用されることができ、これは、セル識別を示すために十分である。したがって、セル識別は、以下を満たす。
【化７】
0006586520.tif 000016
式中、ｗiは、（ｉ＋１）番目のシンボル上のＺＣシーケンスのルートシーケンスのインデックスであり、０、１、または２の値を有する。
【０１６２】
代替として、ルートシーケンスおよび巡回シフトが、例えば、（ｕ１，ＣＳ１，ｕ２，ＣＳ２，．．．．．．，，ｕ６，ＣＳ６）を使用して、インジケーションを結合し、セル識別およびタイミング情報を合わせて示すために使用されることができる。ここでは、ＣＳ１、ＣＳ２．．．．．．ＣＳ６は、それぞれ、６つのシンボルのうちのｉ番目のシンボル上のＺＣシーケンスに関する巡回シフト値である。
【０１６３】
２．２つのサブフレームにわたる２つの長シーケンスが、インジケーションのために使用される。
【０１６４】
ＳＳＳは、２つのサブフレームを経由して伝送される。好ましくは、２つの連続サブフレーム、例えば、サブフレーム＃４および＃５またはサブフレーム＃９および次の無線フレーム内のサブフレーム＃０が、選択されることができる。各サブフレーム上では、ＳＳＳは、シーケンスであり、例えば、複数の基準シンボルを占有する。本長シーケンスは、時間ドメイン内でセグメント化され、次いで、それぞれ、１５ＫＨｚのサブキャリア間隔を伴って、複数の基準シンボルを経由して伝送される。２つのサブフレームにわたる長シーケンスは、以下に詳細に説明されるであろう、情報を示すために設計される。
【０１６５】
例えば、各サブフレーム内に、６つの基準シンボル、すなわち、７２のＲＥが、占有される。ＳＳＳは、以下のように、７１の長さを有する、ＺＣシーケンスである。
【化６】
0006586520.tif 000017
ＺＣシーケンスは、時間ドメイン内で生成される。ここでは、Ｎｚｃ＝７１は、ＺＣシーケンスの長さであり、ｕｉ∈｛１，２，．．．，Ｎｚｃ−１｝は、２つのサブフレームのうちのｉ番目のサブフレーム上のＺＣシーケンスのルートシーケンスのインデックスである。
【０１６６】
実施例が、インジケーションが提供される方法を説明するためにここで与えられる。例えば、ＳＳＳは、セル識別情報および２ビットタイミング情報、すなわち、合計１１ビットの情報を示すためだけに使用される。２つのサブフレームは、それぞれ、２つのシーケンスに対応する。ｕｉのセット内には、７０のルートシーケンスインデックスが存在し、これは、それぞれ、０、１、２、．．．６９のインデックスを有するように再付番される。次いで、２つのＺＣシーケンスが、７０２（すなわち、４９００）の状態を示すために使用されることができ、これは、１１ビットの情報（２１１＝４０９６）を示すために十分である。したがって、セル識別は、以下を満たす。
【化８】
0006586520.tif 000018
式中、ｗiは、２つのサブフレームのうちの（ｉ＋１）番目のサブフレーム上のＺＣシーケンスのルートシーケンスのインデックスであり、０、１、２、．．．、６９の値を有する。
【０１６７】
代替として、ルートシーケンスおよび巡回シフトが、例えば、（ｕ１，ＣＳ１，ｕ２，ＣＳ２）を使用して、インジケーションを結合し、セル識別およびタイミング情報を合わせて示すために使用されることができる。ここでは、ＣＳ１およびＣＳ２は、それぞれ、２つのサブフレームのうちのｉ番目のサブフレーム上のＺＣシーケンスに関する巡回シフト値である。さらに、情報は、伝送サブフレーム内の変更を用いて示されることができる。例えば、ＳＳＳは、ｎｆｍｏｄ８＝０を満たす無線フレーム内で４０ｍｓ毎に伝送され、ＳＳＳのシーケンスＡは、サブフレーム＃４内で伝送され、ＳＳＳのシーケンスＢは、サブフレーム＃５内で伝送される。ｎｆｍｏｄ８＝１を満たす無線フレームでは、ＳＳＳのシーケンスＢは、サブフレーム＃４内で伝送され、ＳＳＳのシーケンスＡは、サブフレーム＃５内で伝送される。このように、８０ｍｓのタイミングが、得られることができる。
【０１６８】
３．差異マッピング位置が、情報を搬送するために使用される。
【０１６９】
１つの繰り返し周期では、ＳＳＳは、それぞれが、複数のサブシーケンスから生成される、１つ以上のシーケンスを含むことができる。情報は、複数のサブシーケンスの異なるマッピング位置を用いて示されることができる。
【０１７０】
例えば、ＳＳＳの各シーケンスは、例えば、Ｓ０（ｎ）およびＳ１（ｎ）として示される２つのシーケンスから生成されることができる。
（ｎｆ／２）ｍｏｄ２＝０である場合、
（１）ｄ（２ｎ）＝Ｓ０（ｎ）、ｄ（２ｎ＋１）＝Ｓ１（ｎ）、
（ｎｆ／２）ｍｏｄ２＝１である場合、
（２）ｄ（２ｎ＋１）＝Ｓ０（ｎ）、ｄ（２ｎ）＝Ｓ１（ｎ）、
式中、ｎｆは、無線フレームのインデックスである。例えば、無線フレーム４ｎでは、方程式（１）によるシーケンスが、伝送されることができる。無線フレーム４ｎ＋２では、方程式（２）によるシーケンスが、伝送されることができる。このように、４０ｍｓのタイミングが、得られることができる。Ｓ０（ｎ）およびＳ１（ｎ）は、セル識別から生成されることができる。例えば、セル識別とＺＣシーケンスおよび巡回シフトのルートシーケンスとの間の１対１対応が存在し得る。
【０１７１】
好ましい実施形態４
本実施形態では、ＣＲＳが位置する基準シンボルを経由したＰＳＳ／ＳＳＳの伝送のための方法である。
【０１７２】
ＰＳＳ／ＳＳＳが、ＣＲＳが位置する基準シンボル上にあるとき、ＰＳＳ／ＳＳＳのシンボルは、ＣＲＳが位置するＲＥ位置においてパンクチャ処理される。
【０１７３】
一般性を失うことなく、ＣＲＳが伝送される基準シンボル上では、ＰＳＳ／ＳＳＳシーケンスは、ｘ（０）、ｘ（１）、ｘ（２）．．．．．．ｘ（Ｋ−１）であり、Ｋ＝１２であり、０、１、．．．、Ｋ−１は、サブキャリアのインデックスを示す。ＣＲＳを伝送するために使用されないＲＥに関して、ｅＮＢから伝送されるＰＳＳ／ＳＳＳは、ｙ（ｋ）＝ｘ（ｋ）・ｃであり、ｃ＝ｓ（ｋ０）／ｘ（ｋ０）であり、ｋ０は、シンボル上の所定のＲＥ内のＣＲＳに関するサブキャリアインデックスであり、ｘ（ｋ０）は、サブキャリア＃ｋ０に対応するＰＳＳ／ＳＳＳシーケンスの値であり、ｓ（ｋ０）は、サブキャリア＃ｋ０に対応するＣＲＳシンボル値である。
【０１７４】
このように、ＣＲＳがサブキャリア＃ｋ０上で伝送される位置におけるＰＳＳ／ＳＳＳシンボル値が有効であり、かつ同一ＣＲＳ値がサブキャリア＃ｋ０上で伝送される他の位置におけるＰＳＳ／ＳＳＳシンボル値も有効であることを確実にすることが可能である。
【０１７５】
好ましくは、ＰＳＳ／ＳＳＳの伝送電力は、ＣＲＳのものと同一である。
【０１７６】
好ましい実施形態５
本実施形態では、同期信号の伝送のための方法が、提供される。
【０１７７】
本実施形態では、同期信号は、それぞれが１つのシーケンスに対応する、複数のＯＦＤＭシンボルを含む。同期信号によって占有されるＯＦＤＭシンボルは、現在のＬＴＥシステムにおいて定義されるＯＦＤＭシンボルであり、すなわち、シンボルは、それぞれ、１５ＫＨｚのサブキャリア間隔を有する。
【０１７８】
１１のシーケンス長と仮定すると、合計１０のシーケンスが利用可能である。実際は、シーケンス長さは、これに限定されない。利用可能なシーケンスは、以下のようなＺＣシーケンスであると仮定される。
【化１】
0006586520.tif 000019
式中、Ｎは、シーケンス長を示し、この場合、１１であり、ｕは、１〜１０に及ぶ値を有するルートシーケンスインデックスである。ＺＣシーケンスの耐周波数オフセット性能に従って、両端におけるルートインデックスは、より不良な耐周波数オフセット性能に対応し、中央におけるルートインデックスは、より良好な耐周波数オフセット性能に対応する。すなわち、ルートインデックスは、
【化９】
0006586520.tif 000020
【化１０】
0006586520.tif 000021
としてその耐周波数オフセット性能に応じて、順序付けられることができ、ｉは、
【化１１】
0006586520.tif 000022
より小さい正の整数である。各対の括弧内の２つのルートインデックスは、類似性能を有する。Ｎ＝１に関して、（５，６）＞（４，７）＞（３，８）＞（２，９）＞（１，１０）である。
【０１７９】
随意に、良好な耐周波数オフセット性能を有するシーケンスは、ＣＲＳを伴わずにシンボル上に配置されることができる。好ましくは、良好な耐周波数オフセット性能を有する一対のシーケンスは、ＣＲＳを伴わずに２つの物理的に隣接するシンボル、例えば、ＬＴＥサブフレーム内の１つのスロット内の最後の２つのシンボル上に配置されることができる。本開示は、本実施例に限定されない。
【０１８０】
通常ＣＰを仮定すると、１つのサブフレームは、０、１、２、３、．．．、１３として時間順に付番された１４のシンボルを含有する。ＣＲＳを伴うシンボルは、０、１、４、７、８、および１１のインデックスを有するシンボルであり、残りのシンボルは、ＣＲＳを有していない。同期信号が、最後の１１のシンボルを占有すると仮定される。実際は、シンボルの数および位置は、前述の実施例に限定されない。したがって、良好な耐周波数オフセット性能を有するシーケンスは、ＣＲＳを伴わずに、一対の隣接するシンボル上に配置されることができる。すなわち、５、６、４、７、３、および８のルートシーケンスインデックスは、１対１対応において、それぞれ、シンボル＃５、６、９、１０、１２、および１３上に配置されることができる。本開示は、任意の具体的対応に限定されない。例えば、５のルートシーケンスインデックスを有するシーケンスは、シンボル＃５上で伝送されることができる。６のルートシーケンスインデックスを有するシーケンスは、シンボル＃６上で伝送されることができる。４のルートシーケンスインデックスを有するシーケンスは、シンボル＃９上で伝送されることができる。７のルートシーケンスインデックスを有するシーケンスは、シンボル＃１０上で伝送されることができる。３のルートシーケンスインデックスを有するシーケンスは、シンボル＃１２上で伝送されることができる。８のルートシーケンスインデックスを有するシーケンスは、シンボル＃１３上で伝送されることができる。他のシーケンスも、ＣＲＳを伴って、シンボル上にマップされることができる。ある実施例では、１１のシンボル、すなわち、シンボル＃３−１３は、それぞれ、２、９、３、８、１、１０、４、７、５、６、および５のルートシーケンスインデックスに対応する。表１は、ルートシーケンスインデックスのいくつかの実施例を与える。実際は、本開示は、以下の実施例に限定されない。
【表１】
0006586520.tif 000023
【０１８１】
いくつかのさらなる実施例は、以下に与えられるであろう。１１のシンボル上のルートシーケンスインデックスは、時間順に、
｛１，２，３，４，５，６，７，８，９，１０，１｝
｛１，２，３，４，５，１，６，７，８，９，１０｝
｛１，１０，２，９，３，５，８，４，７，５，６｝
｛１，１０，２，９，３，８，４，７，６，５，６｝
｛２，９，５，６，１，１０，４，７，３，８，３｝
｛２，９，３，８，１，１０，４，７，５，６，５｝
のうちの１つであることができる。
【０１８２】
随意に、隣接するシンボルは、一対の共役シーケンス、すなわち、
【化１２】
0006586520.tif 000024
に対応し、ｉは、
【化１１】
0006586520.tif 000025
より小さい正の整数である。表１に示されるように、シンボル＃３および＃４は、２および９に対応する。実際は、順序は、９および２に変更されることができる。代替として、シンボルは、他の共役シーケンス、例えば、５および６にも対応することができる。
【０１８３】
好ましくは、ＣＲＳを伴わない隣接するシンボルは、一対の共役シーケンスに対応する。
【０１８４】
随意に、１１のシンボルは、合計１０の異なるルートシーケンスに対応する。１つのシンボル上のシーケンスは、他のシンボル上のシーケンスと同一である。これは、反復シーケンスと称される。好ましくは、最後であるが、２つのシンボル上のシーケンスは、他のシンボル上のシーケンスと同一である。好ましくは、反復シーケンスは、最良耐周波数オフセット性能を有するシーケンスのうちの１つ、例えば、
【化１３】
0006586520.tif 000026
のうちの１つである。代替として、反復シーケンスは、最後のシンボル、最初のシンボル、第２のスロット内の最初のシンボル、または第２のスロット内の第３のシンボル上のシーケンスであることができる。
【０１８５】
拡張ＣＰを仮定すると、１つのサブフレームは、０、１、２、３、．．．、１１と時間順に付番された１２のシンボルを含有する。ＣＲＳを伴うシンボルは、０、１、３、６、７、および９のインデックスを有するシンボルであり、残りのシンボルは、ＣＲＳを有していない。したがって、良好な耐周波数オフセット性能を有するシーケンスは、ＣＲＳを伴わない一対の隣接するシンボル上に配置され得る。すなわち、５、６、４、および７のルートシーケンスインデックスは、１対１対応において、それぞれ、シンボル＃４、５、１０、および１１上に配置されることができる。本開示は、任意の具体的対応に限定されない。例えば、５のルートシーケンスインデックスを有するシーケンスは、シンボル＃４上で伝送されることができる。６のルートシーケンスインデックスを有するシーケンスは、シンボル＃５上で伝送されることができる。１０のルートシーケンスインデックスを有するシーケンスは、シンボル＃７上で伝送されることができる。４のルートシーケンスインデックスを有するシーケンスは、シンボル＃１１上で伝送されることができる。ある実施例では、９つのシンボルは、それぞれ、１、５、６、２、９、３、８、４、および７のルートシーケンスインデックスに対応する。表２は、ルートシーケンスインデックスのいくつかの実施例を与える。実際は、本開示は、以下の実施例に限定されない。
【表２】
0006586520.tif 000027
【０１８６】
いくつかのさらなる実施例は、以下に与えられるであろう。９つのシンボル上のルートシーケンスインデックスは、時間順に、
｛１，２，３，４，５，６，７，８，９｝
｛１，２，３，４，５，７，８，９，１０｝
｛１，１０，２，９，３，４，７，５，６｝
｛１，１０，２，９，３，８，４，７，６｝
｛１，５，６，２，９，３，８，４，７｝
｛１，４，７，２，９，３，８，５，６｝
のうちの１つであることができる。
【０１８７】
随意に、９つのシンボルは、合計９つの異なるルートシーケンスに対応し（すなわち、各シンボルは、一意のルートシーケンスに対応し）、これは、最良耐周波数オフセット性能を有する、９つのルートシーケンスであることができる。例えば、９つの異なるルートシーケンスは、１のインデックスを有するもの以外、９つのルートシーケンスであることができ、または９のインデックスを有するもの以外、９つのルートシーケンスであることができる。
【０１８８】
随意に、良好な耐周波数オフセット性能を有するシーケンスは、ＣＲＳを伴って、シンボル上に配置されることができる。通常ＣＰに関して、１１のシンボルは、それぞれ、４、７、１、１０、５、６、２、９、８、３、および８のインデックスを有する、ルートシーケンスに対応する。拡張ＣＰに関して、シンボルは、６、１、１０、４、７、３、８、２、および９のインデックスを有する、ルートシーケンスに対応する。
【０１８９】
随意に、シーケンスは、グループに分割されることができ、保護されるべきシーケンスは、ＣＲＳを伴わずにシンボル上に配置されることができる。保護されるべきシーケンスは、良好または不良な耐周波数オフセット性能を有する、シーケンスであることができる。保護されるべきシーケンスが位置する、ＣＲＳを伴わないシンボルは、恣意的に選択されることができる。
【０１９０】
随意に、ＺＣシーケンスに関するルートインデックスは、
第１のグループが、ｕ＝｛５，６，４，７，３，８｝を有するＺＣシーケンスを含み、第２のグループが、ｕ＝｛２，９｝を有するＺＣシーケンスを含み、第３のグループが、ｕ＝｛１，１０｝を有するＺＣシーケンスを含む、第１のスキームと、
第１のグループが、ｕ＝｛１，１０，２，９，３，８｝を有するＺＣシーケンスを含み、第２のグループが、ｕ＝｛４，７｝を有するＺＣシーケンスを含み、第３のグループが、ｕ＝｛５，６｝を有するＺＣシーケンスを含む、第２のスキームと
のうちの少なくとも１つに従ってグループに分割される。
【０１９１】
第２のグループ内のシーケンスおよび第３のグループ内のシーケンスは、相互交換可能である。
【０１９２】
ＺＣシーケンスの第１のグループは、第１のＯＦＤＭシンボル上にマップされることができ、ＺＣシーケンスの第２のグループは、第２のＯＦＤＭシンボル上にマップされることができ、ＺＣシーケンスの第３のグループは、第３のＯＦＤＭシンボル上にマップされることができる。第１のＯＦＤＭシンボルは、サブフレーム内の｛５，６，９，１０，１２，１３｝の番号を有するシンボルを含み、第２のＯＦＤＭシンボルは、サブフレーム内の｛３，４｝の番号を有するシンボルを含み、第３のＯＦＤＭシンボルは、サブフレーム内の｛７，８｝の番号を有するシンボルを含む。
【０１９３】
実施形態６
実施形態５と同様に、通常ＣＰに関して、サブフレーム内の最後の１１のシンボルは、同期信号の伝送のために使用される。１１のシンボルに対応するシーケンスに関するルートシーケンスインデックスは、巡回順序、すなわち、１、２、３、４、５、６、７、８、９、１０、およびｘであることができ、ｘは、１〜１０の範囲内の任意の恣意的なものである。好ましくは、最後のシンボル上のシーケンスに関するルートシーケンスインデックスｘは、１、５、または６であることができる。
【０１９４】
随意に、シンボル上のシーケンスは、端間共役、例えば、１、２、３、４、５、ｘ、６、７、８、９、および１０であることができ、ｘは、１〜１０の範囲内の任意の恣意的なものである。好ましくは、最後のシンボル上のシーケンスに関するルートシーケンスインデックスｘは、１、５、または６であることができる。
【０１９５】
随意に、シンボル上のシーケンスのうち、隣接するシンボル上のシーケンスは、相互に共役する。反復シーケンスは、中央におけるシンボル上にある。例えば、１、１０、２、９、３、ｘ、８、４、７、５、および６に関して、ｘは、一対の共役シーケンス間の中央シンボル内の反復シーケンスである。好ましくは、最後のシンボル上のシーケンスｘは、１、５、または６であることができる。
【０１９６】
随意に、シンボル上のシーケンスは、一対の共役シーケンスに対応する。例えば、最初の５つのシンボルは、
【化１４】
0006586520.tif 000028
のルートシーケンスインデックスに対応し、最後の６つのシンボルは、
【化１４】
0006586520.tif 000029
のルートシーケンスインデックスに対応する。
【０１９７】
実施形態７
本実施形態では、同期信号は、それぞれが１つのシーケンスに対応する、複数のＯＦＤＭシンボルを含む。同期信号によって占有されるＯＦＤＭシンボルは、現在のＬＴＥシステムにおいて定義されるＯＦＤＭシンボルであり、すなわち、シンボルは、それぞれ、１５ＫＨｚのサブキャリア間隔を有する。
【０１９８】
本実施形態では、ＰＳＳおよび／またはＳＳＳは、１１のサブキャリアを経由して伝送される。ダウンリンクキャリアは、１２のサブキャリアを含み、ＮＢ−ＩｏＴシステムにおいてダウンリンク情報を伝送するために使用されてもよい。実際は、ＮＢ−ＩｏＴシステムに限定されない。本実施形態では、ダウンリンクキャリア内のこれらの１１のサブキャリアの位置が、提供される。
【０１９９】
随意に、１１のサブキャリアは、最低周波数の１２のサブキャリアを有する１１のものまたは最高周波数の１２のサブキャリアを有する、１１のものである。
【０２００】
随意に、１１のサブキャリアの位置は、セル識別によって判定され、それによって、同期信号とＣＲＳとの間の競合確率を低減させる。例えば、セル識別ｍｏｄ３が、０であるとき、１１のサブキャリアは、最高周波数の１２のサブキャリアを有する１１のものである。セル識別ｍｏｄ３が、２であるとき、１１のサブキャリアは、最低周波数の１２のサブキャリアを有する１１のものである。セル識別ｍｏｄ３が、１であるとき、１１のサブキャリアは、最低または最高周波数の１２のサブキャリアを有する１１のものである。このように、ＣＲＳは、同期信号が位置するシンボルにわたって、最大で、３つのＲＥを占有する。
【０２０１】
図７は、本開示の好ましい実施形態による、ＺＣシーケンスに対応するＲＥを示す、概略図である。図７に示されるように、実施例は、「ｍｏｄ」が、合同算術を示し、ドット部分におけるＲＥが、ＣＲＳが位置するそれらの場所であり、Ｎｉｄが、セル識別を示すように与えられる。ＺＣシーケンスに対応するＲＥは、図７に図示される。
【０２０２】
代替として、セル識別ｍｏｄ６が、０であるとき、１１のサブキャリアは、最高周波数の１２のサブキャリアを有する１１のものであり、セル識別ｍｏｄ６が、２であるとき、１１のサブキャリアは、最低周波数の１２のサブキャリアを有する１１のものである。セル識別ｍｏｄ６が、別の値であるとき、１１のサブキャリアは、最低周波数または最高周波数の１２のサブキャリアを有する１１のものである。
【０２０３】
随意に、１１のサブキャリアの位置は、１２のサブキャリアの位置および／または最近傍１００ｋＨｚの整数倍からの１２のサブキャリアの中心周波数の周波数オフセットによって判定される。例えば、帯域内モードに関して、１１のサブキャリアの位置は、１２のサブキャリアに対応するＰＲＢインデックスまたは最近傍１００ｋＨｚの整数倍からのＰＲＢの中心周波数の周波数オフセットによって判定される。表３は、奇数が付番された帯域幅における１１のサブキャリアの位置を示す。表３に示されるように、システム帯域幅が、５ＭＨｚであるとき、同期信号が、ＰＲＢ＃１７または２２を経由して伝送される場合、ＰＳＳは、ＰＲＢ内の最低周波数を有する１１のサブキャリアを経由して伝送される。同期信号が、ＰＲＢ＃２または７を経由して伝送される場合、ＰＳＳは、ＰＲＢ内の最高周波数を有する１１のサブキャリアを経由して伝送される。これは、残りのシステム帯域幅に関しても同様である。このように、固定周波数オフセットを伴わずに、ＰＳＳを受信することが可能である。これはまた、保護帯域に関しても同様である。
【表３】
0006586520.tif 000030
【０２０４】
以下の表４は、偶数が付番された帯域幅における１１のサブキャリアの位置を示す。
【表４】
0006586520.tif 000031
【０２０５】
随意に、１１のサブキャリアの中心周波数が、最近傍１００ｋＨｚの整数倍より小さいとき、１１のサブキャリアは、最高周波数の１２のサブキャリアを有する１１のものである。１２のサブキャリアの中心周波数が、１２のサブキャリアの整数倍より大きいとき、１１のサブキャリアは、最低周波数の１２のサブキャリアを有する１１のものである。
【０２０６】
随意に、ｅＮＢは、１１の連続サブキャリアを経由してシーケンスを伝送する。代替として、あるサブキャリアを経由するシーケンス値は、パンクチャ処理されてもよい。例えば、最中央シーケンス値が、パンクチャ処理されてもよい。したがって、信号は、連続の１１のサブキャリアのうちの最中央サブキャリアにわたって伝送されることができず、対応するシーケンス値は、残りの１０のサブキャリアを経由して伝送されるであろう。実際は、最中央シーケンス値のパンクチャ処理に限定されない。
【０２０７】
前述の実施形態の説明を用いて、前述の実施形態による方法は、ソフトウェアに加え、必要な一般的ハードウェアプラットフォームを用いて実現されることができ、当然ながら、ハードウェアを介して実装されることができるが、多くの場合、前者が、より良好な実装であることが、当業者に明白となるであろう。本理解に基づいて、本発明の技術的ソリューションは、本質的に、または先行技術に寄与する部分の観点から、記憶媒体（例えば、ＲＯＭ／ＲＡＭ、ディスク、ＣＤ−ＲＯＭ）内に記憶され、端末デバイス（携帯電話、コンピュータ、サーバ、またはネットワークデバイス等であってもよい）が本発明の種々の実施形態に説明される方法を行うことを可能にするためのいくつかの命令を含む、ソフトウェア製品の形態で具現化され得る。
【０２０８】
前述のモジュールはそれぞれ、ソフトウェアまたはハードウェアを用いて実現されることができ、後者は、限定ではないが、以下の様式に実現されることができる、すなわち、前述のモジュールは、同一プロセッサに位置し、または前述のモジュールは、複数のプロセッサに分散されることに留意されたい。
【０２０９】
本発明の実施形態はまた、記憶媒体を提供する。代替として、本実施形態では、前述の記憶媒体は、前述の実施形態の方法ステップを行うためのプログラムコードを記憶するように構成されてもよい。
【０２１０】
随意に、記憶媒体はさらに、前述の実施形態の方法ステップを行うためのプログラムコードを記憶するように構成される。
【０２１１】
代替として、本実施形態では、前述の記憶媒体は、限定ではないが、ＵＳＢディスク、読取専用メモリ（ＲＯＭ）、ランダムアクセスメモリ（ＲＡＭ）、モバイルハードディスク、磁気ディスクまたはＣＤ−ＲＯＭ、およびプログラムコードを記憶することができる、他の媒体を含んでもよい。
【０２１２】
随意に、本実施形態では、プロセッサは、記憶媒体内に記憶されるプログラムコードに従って、前述の実施形態の方法ステップを実行する。
【０２１３】
本発明の前述のモジュールまたはステップは、汎用コンピューティングデバイスを用いて実装されてもよく、単一コンピューティングデバイス上に配置され、または複数のコンピューティングデバイスのネットワークにわたって分散されてもよいことが、当業者に明白となるであろう。随意に、それらは、記憶デバイス内に記憶され、コンピューティングデバイスによって実行され得るように、コンピューティングデバイスによって実行可能なプログラムコードを用いて実装されてもよく、ある場合には、それらは、本明細書に図示または説明されるステップと異なる順序で行われてもよく、またはそれらは、個々の集積回路モジュールの中に別個に作製されてもよく、または複数のモジュールもしくはその中のステップを単一集積回路モジュールの中に作製することによって実装されてもよい。したがって、本発明は、任意の特定のハードウェア、ソフトウェア、およびそれらの組み合わせに限定されない。
【０２１４】
前述は、単に、本発明の好ましい実施形態の例証であって、本発明を限定することを意図するものではない。種々の変更および修正が、当業者によって行われてもよい。本発明の精神および原理内の任意の修正、均等物代用、改良、および同等物が、本発明の範囲内に含まれることが意図される。
【産業上の利用可能性】
【０２１５】
本発明のある実施形態によると、基地局が、同期信号を繰り返しかつ周期的に端末に伝送する。１つの繰り返し周期では、同期信号は、１つ以上のサブフレーム内の複数の直交周波数分割多重化（ＯＦＤＭ）シンボルに対応して、経時的に伝送される。同期信号は、一次同期信号（ＰＳＳ）または二次同期信号（ＳＳＳ）である。代替として、端末が、基地局から伝送される同期信号を繰り返しかつ周期的に受信する。このように、ＮＢ−ＬＴＥシステムにおける同期信号の不適切な設計と関連付けられた問題は、解決されることができ、狭帯域システムにおける同期信号の適切な伝送が、達成されることができる。
【図１】
0006586520.tif 000032
【図２】
0006586520.tif 000033
【図３】
0006586520.tif 000034
【図４】
0006586520.tif 000035
【図５】
0006586520.tif 000036
【図６】
0006586520.tif 000037
【図７】
0006586520.tif 000038